(57)【要約】【課題】ブートストラップ機能を有する有機ＥＬ表示装置において、書込みゲインとブートストラップゲイのトレードオフ関係を改善する。【解決手段】ノードＮＤ１２１に容量素子３１０の一方の端子を接続し、容量素子３１０の他方の端子（ノードＮＤ１２３）にスイッチトランジスタ３１２，３１４を接続する。スイッチトランジスタ３１２は、有機ＥＬ素子１２７に形成される寄生容量Ｃelに対して容量素子３１０を並列接続するように機能し、サンプリング期間にのみオンすることで、ブートストラップゲインに悪影響を与えることなく、書込みゲインを大きくする。スイッチトランジスタ３１４は、保持容量１２０に対して容量素子３１０を並列接続するように機能し、発光期間にのみオンすることで、書込みゲインに悪影響を与えることなく、ブートストラップゲインを大きくする。【選択図】図６
2008185874.tif 000002
【特許請求の範囲】
【請求項１】
駆動電流を生成する駆動トランジスタ、前記駆動トランジスタの出力端に接続された電気光学素子、前記駆動トランジスタの制御入力端と出力端の間に接続された保持容量、前記信号電位に応じた情報を前記保持容量に書き込むサンプリングトランジスタ、前記保持容量と電気回路的に並列接続されたゲイン変更用の容量素子およびスイッチトランジスタを有する直列回路を具備し、前記保持容量に保持された情報に基づく駆動電流を前記駆動トランジスタで生成して前記電気光学素子に流すことで当該電気光学素子が発光する画素回路が行列状に配置されている画素アレイ部と、
前記サンプリングトランジスタを水平周期で順次制御することで前記画素回路を線順次走査して１行分の各保持容量に映像信号の信号電位に応じた情報を書き込むとための書込走査パルスを前記サンプリングトランジスタに出力する書込走査部、前記サンプリングトランジスタによる信号電位の書込動作に合わせて書込みゲインを向上させるためのゲイン変更パルスを前記スイッチトランジスタに供給してオンさせるゲイン変更走査部、前記書込走査部での前記線順次走査に合わせて１行分の映像信号を前記映像信号線に供給する水平駆動部を具備する制御部とを備え
前記制御部は、前記保持容量に前記信号電位に対応する情報が書き込まれた時点で前記サンプリングトランジスタを非導通状態にして前記駆動トランジスタの前記制御入力端への前記映像信号の供給を停止させ、当該駆動トランジスタの前記出力端の電位変動に前記制御入力端の電位が連動する動作を可能にする
ことを特徴とする表示装置。
【請求項２】
前記ゲイン変更走査部は、前記電気光学素子の発光期間では前記スイッチトランジスタをオフさせる
ことを特徴とする請求項１に記載の表示装置。
【請求項３】
駆動電流を生成する駆動トランジスタ、前記駆動トランジスタの出力端に接続された電気光学素子、前記駆動トランジスタの制御入力端と出力端の間に接続された保持容量、前記信号電位に応じた情報を前記保持容量に書き込むサンプリングトランジスタ、前記電気光学素子と電気回路的に並列接続されたゲイン変更用の容量素子およびスイッチトランジスタを有する直列回路を具備し、前記保持容量に保持された情報に基づく駆動電流を前記駆動トランジスタで生成して前記電気光学素子に流すことで当該電気光学素子が発光する画素回路が行列状に配置されている画素アレイ部と、
前記サンプリングトランジスタを水平周期で順次制御することで前記画素回路を線順次走査して１行分の各保持容量に映像信号の信号電位に応じた情報を書き込むとための書込走査パルスを前記サンプリングトランジスタに出力する書込走査部、前記電気光学素子の発光期間に合わせてブートストラップゲインを向上させるためのゲイン変更パルスを前記スイッチトランジスタに供給してオンさせるゲイン変更走査部、前記書込走査部での前記線順次走査に合わせて１行分の映像信号を前記映像信号線に供給する水平駆動部を具備する制御部とを備え
前記制御部は、前記保持容量に前記信号電位に対応する情報が書き込まれた時点で前記サンプリングトランジスタを非導通状態にして前記駆動トランジスタの前記制御入力端への前記映像信号の供給を停止させ、当該駆動トランジスタの前記出力端の電位変動に前記制御入力端の電位が連動する動作を可能にする
ことを特徴とする表示装置。
【請求項４】
前記ゲイン変更走査部は、前記サンプリングトランジスタによる信号電位の書込動作期間では前記スイッチトランジスタをオフさせる
ことを特徴とする請求項３に記載の表示装置。
【請求項５】
駆動電流を生成する駆動トランジスタ、前記駆動トランジスタの出力端に接続された電気光学素子、前記駆動トランジスタの制御入力端と出力端の間に接続された保持容量、前記信号電位に応じた情報を前記保持容量に書き込むサンプリングトランジスタ、前記駆動トランジスタの出力端に一方の端子が接続されたゲイン変更用の容量素子、当該ゲイン変更用の容量素子の他方の端子と接続されオン時に前記容量素子が前記電気光学素子に対して電気回路的に並列接続されるように配置された第１のスイッチトランジスタ、前記ゲイン変更用の容量素子の前記他方の端子と接続されオン時に前記容量素子が前記保持容量に対して電気回路的に並列接続されるように配置された第２のスイッチトランジスタを具備し、前記保持容量に保持された情報に基づく駆動電流を前記駆動トランジスタで生成して前記電気光学素子に流すことで当該電気光学素子が発光する画素回路が行列状に配置されている画素アレイ部と、
前記サンプリングトランジスタを水平周期で順次制御することで前記画素回路を線順次走査して１行分の各保持容量に映像信号の信号電位に応じた情報を書き込むとための書込走査パルスを前記サンプリングトランジスタに出力する書込走査部、前記サンプリングトランジスタによる信号電位の書込動作に合わせて書込みゲインを向上させるための第１のゲイン変更パルスを前記第１のスイッチトランジスタに供給してオンさせるとともに、前記電気光学素子の発光期間に合わせてブートストラップゲインを向上させるための第２のゲイン変更パルスを前記第２のスイッチトランジスタに供給してオンさせるゲイン変更走査部、前記書込走査部での前記線順次走査に合わせて１行分の映像信号を前記映像信号線に供給する水平駆動部を具備する制御部とを備え
前記制御部は、前記保持容量に前記信号電位に対応する情報が書き込まれた時点で前記サンプリングトランジスタを非導通状態にして前記駆動トランジスタの前記制御入力端への前記映像信号の供給を停止させ、当該駆動トランジスタの前記出力端の電位変動に前記制御入力端の電位が連動する動作を可能にする
ことを特徴とする表示装置。
【請求項６】
前記ゲイン変更走査部は、前記電気光学素子の発光期間では前記第１のスイッチトランジスタをオフさせるとともに、前記サンプリングトランジスタによる信号電位の書込動作期間では前記第２のスイッチトランジスタをオフさせる
ことを特徴とする請求項５に記載の表示装置。
【請求項７】
前記制御部は、前記サンプリングトランジスタに基準電位が供給されている時間帯で前記サンプリングトランジスタを導通させ、前記駆動トランジスタの閾値電圧に対応する電圧を前記保持容量に保持するための閾値補正動作を行なうように制御する
ことを特徴とする請求項１，３，５の内の何れか１項に記載の表示装置。
【請求項８】
前記制御部は、前記閾値補正動作に先立って、前記サンプリングトランジスタに前記基準電位が供給されている時間帯で前記サンプリングトランジスタを導通させて、前記閾値補正動作用の準備動作を行なうように制御する
ことを特徴とする請求項７に記載の表示装置。
【請求項９】
前記制御部は、
前記書込走査部での前記線順次走査に合わせて１行分の各画素回路に、駆動電流を前記電気光学素子に流すために使用される第１電位と、当該第１電位とは異なる第２電位とを切り替えて出力する駆動走査部を具備し、
前記駆動トランジスタの前記電源供給端子に前記第１電位に対応する電圧が供給され、かつ前記サンプリングトランジスタに前記映像信号における前記基準電位が供給されている時間帯で前記サンプリングトランジスタを導通させ、前記閾値補正動作を行なうように制御する
ことを特徴とする請求項７に記載の表示装置。
【請求項１０】
前記制御部は、前記閾値補正動作に先立って、前記駆動トランジスタの電源供給端に前記第２電位に対応する電圧が供給され、かつ前記サンプリングトランジスタに前記映像信号の基準電位が供給されている時間帯で前記サンプリングトランジスタを導通させて、前記閾値補正動作用の準備動作を行なうように制御する
ことを特徴とする請求項９に記載の表示装置。
【請求項１１】
前記制御部は、前記閾値補正動作の後、前記駆動トランジスタの移動度に対する補正分を前記保持容量に書き込まれる情報に加える
ことを特徴とする請求項７に記載の表示装置。
【請求項１２】
駆動電流を生成する駆動トランジスタと、
前記駆動トランジスタの出力端に接続された電気光学素子と、
前記駆動トランジスタの制御入力端と出力端の間に接続された保持容量と、
前記信号電位に応じた情報を前記保持容量に書き込むサンプリングトランジスタと、
前記保持容量と電気回路的に並列接続されたゲイン変更用の容量素子および第１のスイッチトランジスタを有する第１の直列回路、前記電気光学素子と電気回路的に並列接続された前記ゲイン変更用の容量素子および第２のスイッチトランジスタを有する第２の直列回路の内の少なくとも一方
を備えたことを特徴とする画素回路。
【請求項１３】
駆動電流を生成する駆動トランジスタと、前記駆動トランジスタの出力端に接続された電気光学素子と、前記駆動トランジスタの制御入力端と出力端の間に接続された保持容量と、前記信号電位に応じた情報を前記保持容量に書き込むサンプリングトランジスタと、前記保持容量と電気回路的に並列接続されたゲイン変更用の容量素子および第１のスイッチトランジスタを有する第１の直列回路、前記電気光学素子と電気回路的に並列接続された前記ゲイン変更用の容量素子および第２のスイッチトランジスタを有する第２の直列回路の内の少なくとも一方とを具備し、前記保持容量に保持された情報に基づく駆動電流を前記駆動トランジスタで生成して前記電気光学素子に流すことで当該電気光学素子が発光する画素回路の駆動方法であって、
前記第１のスイッチトランジスタを前記信号電位の書込動作時にはオンさせるとともに前記電気光学素子の発光期間ではオフさせ、あるいは、前記第２のスイッチトランジスタを前記電気光学素子の発光期間ではオンさせるとともに前記信号電位の書込動作時にはオフさせる
ことを特徴とする駆動方法。
【発明の詳細な説明】
【技術分野】
【０００１】
本発明は、電気光学素子（表示素子や発光素子とも称される）を具備する画素回路（画素とも称される）と、この画素回路が行列状に配列された画素アレイ部を有する表示装置と、その駆動方法に関する。より詳細には、駆動信号の大小によって輝度が変化する電気光学素子を表示素子として有する画素回路と、この画素回路が行列状に配置されてなり、画素回路ごとに能動素子を有して当該能動素子によって画素単位で表示駆動が行なわれるアクティブマトリクス型の表示装置と、その駆動方法に関する。
【背景技術】
【０００２】
画素の表示素子として、印加される電圧や流れる電流によって輝度が変化する電気光学素子を用いた表示装置がある。たとえば、印加される電圧によって輝度が変化する電気光学素子としては液晶表示素子が代表例であり、流れる電流によって輝度が変化する電気光学素子としては、有機エレクトロルミネッセンス（Organic Electro Luminescence, 有機ＥＬ, Organic Light Emitting Diode, OLED；以下、有機ＥＬと記す） 素子が代表例である。後者の有機ＥＬ素子を用いた有機ＥＬ表示装置は、画素の表示素子として、自発光素子である電気光学素子を用いたいわゆる自発光型の表示装置である。
【０００３】
有機ＥＬ素子は有機薄膜に電界をかけると発光する現象を利用した電気光学素子である。有機ＥＬ素子は比較的低い印加電圧（たとえば１０Ｖ以下）で駆動できるため低消費電力である。また有機ＥＬ素子は自ら光を発する自発光素子であるため、液晶表示装置では必要とされるバックライトなどの補助照明部材を必要とせず、軽量化および薄型化が容易である。さらに、有機ＥＬ素子の応答速度は非常に高速である（たとえば数μｓ程度）ので、動画表示時の残像が発生しない。これらの利点があることから、電気光学素子として有機ＥＬ素子を用いた平面自発光型の表示装置の開発が近年盛んになっている。
【０００４】
ところで、液晶表示素子を用いた液晶表示装置や有機ＥＬ素子を用いた有機ＥＬ表示装置を始めとする電気光学素子を用いた表示装置においては、その駆動方式として、単純（パッシブ）マトリクス方式とアクティブマトリクス方式とを採ることができる。ただし、単純マトリクス方式の表示装置は、構造が単純であるもの、大型でかつ高精細の表示装置の実現が難しいなどの問題がある。
【０００５】
このため、近年、画素内部の発光素子に供給する画素信号を、同様に画素内部に設けた能動素子、たとえば絶縁ゲート型電界効果トランジスタ（一般には、薄膜トランジスタ(Thin Film Transistor ;ＴＦＴ)をスイッチングトランジスタとして使用して制御するアクティブマトリクス方式の開発が盛んに行なわれている。
【０００６】
ここで、画素回路内の電気光学素子を発光させる際には、映像信号線を介して供給される入力画像信号をスイッチングトランジスタで駆動トランジスタのゲート端（制御入力端子）に設けられた保持容量（画素容量とも称する）に取り込み、取り込んだ入力画像信号に応じた駆動信号を電気光学素子に供給する。
【０００７】
電気光学素子として液晶表示素子を用いる液晶表示装置では、液晶表示素子が電圧駆動型の素子であることから、保持容量に取り込んだ入力画像信号に応じた電圧信号そのもので液晶表示素子を駆動する。これに対して、電気光学素子として有機ＥＬ素子などの電流駆動型の素子を用いる有機ＥＬ表示装置では、保持容量に取り込んだ入力画像信号に応じた駆動信号（電圧信号）を駆動トランジスタで電流信号に変換して、その駆動電流を有機ＥＬ素子などに供給する。
【０００８】
有機ＥＬ素子を代表例とする電流駆動型の電気光学素子では、駆動電流値が異なると発光輝度も異なる。よって、安定した輝度で発光させるためには、安定した駆動電流を電気光学素子に供給することが肝要となる。たとえば、有機ＥＬ素子に駆動電流を供給する駆動方式としては、定電流駆動方式と定電圧駆動方式とに大別できる（周知の技術であるので、ここでは公知文献の提示はしない）。
【０００９】
有機ＥＬ素子の電圧−電流特性は傾きの大きい特性を有するので、定電圧駆動を行なうと、僅かな電圧のばらつきや素子特性のばらつきが大きな電流のばらつきを生じ大きな輝度ばらつきをもたらす。よって、一般的には、駆動トランジスタを飽和領域で使用する定電流駆動が用いられる。もちろん、定電流駆動でも、電流変動があれば輝度ばらつきを招くが、小さな電流ばらつきであれば小さな輝度ばらつきしか生じない。
【００１０】
逆に言えば、定電流駆動方式であっても、電気光学素子の発光輝度が不変であるためには、入力画像信号に応じて保持容量に書き込まれ保持される駆動信号が一定であることが重要となる。たとえば、有機ＥＬ素子の発光輝度が不変であるためには、入力画像信号に応じた駆動電流が一定であることが重要となる。
【００１１】
ところが、プロセス変動により電気光学素子を駆動する能動素子（駆動トランジスタ）の閾値電圧や移動度がばらついてしまう。また、有機ＥＬ素子などの電気光学素子の特性が経時的に変動する。このような駆動用の能動素子の特性ばらつきや電気光学素子の特性変動があると、定電流駆動方式であっても、発光輝度に影響を与えてしまう。
【００１２】
このため、表示装置の画面全体に亘って発光輝度を均一に制御するため、各画素回路内で上述した駆動用の能動素子や電気光学素子の特性変動に起因する輝度変動を補正するための仕組みが種々検討されている。
【００１３】
【特許文献１】特開２００６−２１５２１３号公報
【００１４】
たとえば、特許文献１に記載の仕組みでは、有機ＥＬ素子用の画素回路として、駆動トランジスタの閾値電圧にばらつきや経時変化があった場合でも駆動電流を一定にするための閾値補正機能や、駆動トランジスタの移動度にばらつきや経時変化があった場合でも駆動電流を一定にするための移動度補正機能や、有機ＥＬ素子の電流−電圧特性に経時変化があった場合でも駆動電流を一定にするためのブートストラップ機能が提案されている。
【発明の開示】
【発明が解決しようとする課題】
【００１５】
しかしながら、特許文献１に記載の仕組みでは、信号電位Ｖinのサンプリング期間に信号電位に対する保持容量に保持される電圧割合（書込みゲイン）と、ブートストラップ動作における駆動トランジスタのソース電位上昇に対するゲート電位上昇の割合（ブートストラップゲイン）とはトレードオフの関係にあり、何れか一方を大きくしようとすると他方が小さくなってしまい、他方に対して悪影響を与えることなく（他方を小さくせずに）、一方を大きくするということができない。このため、各ゲインの間で折り合いを付け、各ゲインが適度なものとなるように、保持容量の容量値と発光素子に併設される容量値を決定しなければならない。
【００１６】
また、特許文献１に記載の仕組みでは、前述のように、５ＴＲ駆動の構成を採っており、画素回路の構成が複雑である。画素回路の構成要素が多いことから、表示装置の高精細化の妨げとなる。その結果、５ＴＲ駆動の構成では、携帯機器（モバイル機器）などの小型の電子機器で用いられる表示装置への適用が困難になる。
【００１７】
このため、画素回路の簡素化を図りつつ、素子の特性ばらつきによる輝度変化を抑制する方式の開発要求がある。この際には、前述の書込みゲインとブートストラップゲイのトレードオフ関係を改善するとともに、その簡素化に伴って、５ＴＲ駆動の構成では生じていない問題が新たに発生することがないようにすることも考慮されるべきである。
【００１８】
本発明は、前記事情に鑑みてなされたもので、先ず、書込みゲインとブートストラップゲイのトレードオフ関係を改善することのできる仕組みを提供することを目的とする。
【００１９】
さらに好ましくは、画素回路の簡素化により表示装置の高精細化を可能にする仕組みを提供することを目的とする。
【００２０】
また、画素回路の簡素化に当たっては、好ましくは、駆動トランジスタや発光素子の特性ばらつきによる輝度変化を抑制することの可能な仕組みを提供することを目的とする。
【課題を解決するための手段】
【００２１】
本発明に係る表示装置の一実施形態は、映像信号に基づいて画素回路内の電気光学素子を発光させる表示装置であって、先ず、画素アレイ部に行列状に配される画素回路内に、少なくとも、駆動電流を生成する駆動トランジスタ、駆動トランジスタの制御入力端（ゲート端が典型例）と出力端（ソース端が典型例）の間に接続された保持容量、駆動トランジスタの出力端に接続された電気光学素子、および保持容量に映像信号における信号電位に応じた情報を書き込むサンプリングトランジスタを備える。この画素回路においては、保持容量に保持された情報に基づく駆動電流を駆動トランジスタで生成して電気光学素子に流すことで電気光学素子を発光させる。
【００２２】
サンプリングトランジスタで保持容量に信号電位に応じた情報を書き込むので、サンプリングトランジスタは、その入力端（ソース端が典型例）に信号電位を取り込み、その出力端（ドレイン端が典型例）に接続された保持容量に信号電位に応じた情報を書き込む。もちろん、サンプリングトランジスタの出力端は、駆動トランジスタの制御入力端にも接続されている。
【００２３】
なお、ここで示した画素回路の接続構成は、最も基本的な構成を示したもので、画素回路は、少なくとも前述の各構成要素を含むものであればよく、これらの構成要素以外（つまり他の構成要素）が含まれていてもよい。また、「接続」は、直接に接続されている場合に限らず、他の構成要素を介在して接続されている場合でもよい。
【００２４】
たとえば、接続間には、必要に応じてさらに、スイッチング用のトランジスタや、ある機能を持った機能部などを介在させるなどの変更が加えられることがある。典型的には、表示期間（換言すれば非発光時間）を動的に制御するためにスイッチング用のトランジスタを、駆動トランジスタの出力端と電気光学素子との間に、もしくは駆動トランジスタの電源供給端（ドレイン端が典型例）と電源供給用の配線である電源線との間に配することがある。
【００２５】
このような変形態様の画素回路であっても、本項（課題を解決するための手段）で説明する構成や作用を実現し得るものである限り、それらの変形態様も、本発明に係る表示装置の一実施形態を実現する画素回路である。
【００２６】
また、画素回路を駆動するための周辺部には、たとえば、サンプリングトランジスタを水平周期で順次制御することで画素回路を線順次走査して、１行分の各保持容量に映像信号の信号電位に応じた情報を書き込む書込走査部、および書込走査部での線順次走査に合わせて１行分の各駆動トランジスタの電源供給端に印加される電源供給を制御するための走査駆動パルスを出力する駆動走査部を具備する制御部を設ける。
【００２７】
また、制御部には、書込走査部での線順次走査に合わせて各水平周期内で基準電位と信号電位で切り替わる映像信号がサンプリングトランジスタに供給されるように制御する水平駆動部を設ける。
【００２８】
制御部は、少なくとも、保持容量に信号電位に対応する情報が書き込まれた時点でサンプリングトランジスタを非導通状態にして駆動トランジスタの制御入力端への映像信号の供給を停止させ、駆動トランジスタの出力端の電位変動に制御入力端の電位が連動するブートストラップ動作を行なうように制御する。
【００２９】
制御部は、好ましくはブートストラップ動作を、サンプリング動作の終了後の発光開始の初期でも実行するようにする。すなわち、信号電位がサンプリングトランジスタに供給されている状態でサンプリングトランジスタを導通状態にした後にサンプリングトランジスタを非導通状態にすることで、駆動トランジスタの制御入力端と出力端の電位差が一定に維持されるようにする。
【００３０】
また、制御部は、好ましくはブートストラップ動作を、発光期間において電気光学素子の経時変動補正動作を実現するように制御する。このため、制御部は、保持容量に保持された情報に基づく駆動電流が電気光学素子に流れている期間は継続的にサンプリングトランジスタを非導通状態にしておくことで、制御入力端と出力端の電圧を一定に維持可能にして電気光学素子の経時変動補正動作を実現するとよい。
【００３１】
発光時における保持容量のブートストラップ動作により電気光学素子の電流−電圧特性が経時変動しても駆動トランジスタの制御入力端と出力端の電位差をブートストラップした保持容量により一定に保つことで、常に一定の発光輝度を保つようにするのである。
【００３２】
また、好ましくは、制御部は、基準電位がサンプリングトランジスタの入力端（ソース端が典型例）に供給されている時間帯でサンプリングトランジスタを導通させることで駆動トランジスタの閾値電圧に対応する電圧を保持容量に保持するための閾値補正動作を行なうように制御する。
【００３３】
この閾値補正動作は、必要に応じて、信号電位の保持容量への書込みに先行する複数の水平周期で繰り返し実行するとよい。ここで「必要に応じて」とは、１水平周期内の閾値補正期間では駆動トランジスタの閾値電圧に相当する電圧を十分に保持容量へ保持させることができない場合を意味する。閾値補正動作の複数回の実行により、確実に駆動トランジスタの閾値電圧に相当する電圧を保持容量に保持させるのである。
【００３４】
また、さらに好ましくは、制御部は、閾値補正動作に先立って、サンプリングトランジスタの入力端に基準電位が供給されている時間帯でサンプリングトランジスタを導通させて閾値補正用の準備動作（放電動作や初期化動作）を実行するように制御する。閾値補正動作前に駆動トランジスタの制御入力端と出力端の電位を初期化しておくのである。
【００３５】
なお、２ＴＲ駆動構成における閾値補正に当たっては、制御部には、書込走査部での線順次走査に合わせて１行分の各画素回路に、駆動電流を電気光学素子に流すために使用される第１電位と第１電位とは異なる第２電位とを切り替えて出力する駆動走査部を設け、駆動トランジスタの電源供給端子に第１電位に対応する電圧が供給され、かつサンプリングトランジスタに映像信号における基準電位が供給されている時間帯でサンプリングトランジスタを導通させることで閾値補正動作を行なうように制御するのがよい。
【００３６】
また、２ＴＲ駆動構成における閾値補正の準備動作に当たっては、駆動トランジスタの電源供給端に第２電位に対応する電圧が供給され、かつサンプリングトランジスタに映像信号の基準電位が供給されている時間帯でサンプリングトランジスタを導通させて、駆動トランジスタの制御入力端の電位を基準電位に、また出力端の電位を第２電位に初期化するのがよい。
【００３７】
さらに好ましくは、制御部は、閾値補正動作の後、駆動トランジスタに第１電位に対応する電圧が供給され、サンプリングトランジスタに基準電位が供給されている時間帯でサンプリングトランジスタを導通させることで保持容量に信号電位の情報を書き込む際、駆動トランジスタの移動度に対する補正分を保持容量に書き込まれる信号に加えるように制御する。
【００３８】
この際には、サンプリングトランジスタに基準電位が供給されている時間帯内の所定位置で、その時間帯より短い期間だけサンプリングトランジスタを導通させるとよい。
【００３９】
ここで、本発明に係る画素回路および表示装置の一実施形態における特徴的な事項として、前述の構成の画素回路をベースとして、画素回路ごとに、サンプリング期間に書込みゲインの向上化を図るべく、あるいは発光期間にブートストラップゲインの向上化を図るべく容量素子を追加するとともに、その接続箇所や接続タイミングを切り替えるゲイン切替用のスイッチトランジスタを追加する。
【００４０】
書込みゲインが問題となるサンプリング期間とブートストラップゲインが問題となる発光期間とではタイミングが異なることに着目し、それぞれの高ゲイン化が要求されるタイミング（サンプリング期間もしくは発光期間）に合わせて、スイッチトランジスタをオンさせることで、追加した容量素子の容量値の分だけ保持容量もしくは電気光学素子に併設される容量（寄生容量でもよい）の容量値を大きくするのである。
【００４１】
このため、ゲイン切替用のスイッチトランジスタの制御に関しては、他方のゲインに対しては悪影響を与えないようにゲイン向上化が不要なタイミングではオフさせ、ゲイン向上化が必要なタイミングでオンさせる。
【００４２】
たとえば、書込みゲインの方を優先して、ブートストラップゲインに対しては悪影響を与えることなく（ブートストラップゲインを小さくせずに）、書込みゲインの方を大きくすることを可能にする構成としては、容量素子とスイッチトランジスタを有する直列回路を電気光学素子に対して電気回路的に並列接続する。書込みゲインが問題となるサンプリング期間にスイッチトランジスタをオンさせることで、電気光学素子に容量素子を並列接続させ、電気光学素子に併設される容量値を大きくする。
【００４３】
また、ブートストラップゲインの方を優先して、書込みゲインに対しては悪影響を与えることなく（書込みゲインを小さくせずに）、ブートストラップゲインの方を大きくすることを可能にする構成としては、容量素子とスイッチトランジスタを有する直列回路を保持容量に対して電気回路的に並列接続する。ブートストラップゲインが問題となる発光期間にスイッチトランジスタをオンさせることで、保持容量に容量素子を並列接続させ、駆動トランジスタのゲート・ソース間に併設される容量値を大きくする。
【００４４】
また、サンプリング期間では書込みゲインを大きくしつつ、発光期間ではブートストラップゲインを大きくすることを可能にする構成としては、容量素子の一方の端子を駆動トランジスタの出力端側（典型的には電気光学素子との接続点）に接続する。また、保持容量の他方の端子に関しては、書込みゲインを大きくする際にオンする第１のスイッチトランジスタを容量素子が電気光学素子に対して電気回路的に並列接続されるように配置するとともに、ブートストラップゲインを大きくする際にオンする第２のスイッチトランジスタを容量素子が保持容量に対して電気回路的に並列接続されるように配置する。
【００４５】
つまり、保持容量と電気回路的に並列接続されたゲイン変更用の容量素子および第１のスイッチトランジスタを有する第１の直列回路と、電気光学素子と電気回路的に並列接続された前記ゲイン変更用の容量素子および第２のスイッチトランジスタを有する第２の直列回路を設ける。
【００４６】
書込みゲインが問題となるサンプリング期間にはスイッチトランジスタをオンさせることで、電気光学素子に容量素子を並列接続させ、電気光学素子に併設される容量値を大きくする一方で、ブートストラップゲインが問題となる発光期間にはスイッチトランジスタをオンさせることで、保持容量に容量素子を並列接続させ、駆動トランジスタのゲート・ソース間に併設される容量値を大きくする。
【発明の効果】
【００４７】
本発明の一実施形態によれば、画素回路ごとに、保持容量に対してゲイン変更用の容量素子および第１のスイッチトランジスタを有する第１の直列回路を並列接続するか、もしくは、電気光学素子に対してゲイン変更用の容量素子および第２のスイッチトランジスタを有する第２の直列回路を並列接続するようにした。
【００４８】
第１の直列回路を保持容量に対して並列接続する構成では、サンプリング期間に第１のスイッチトランジスタをオンさせることで書込みゲインを大きくできる一方、第２の直列回路を電気光学素子に対して並列接続する構成では、発光期間に第２スイッチトランジスタをオンさせることでブートストラップゲインを大きくできる。また。これらの両方を併用する構成では、サンプリング期間には書込みゲインを大きくでき、かつ、発光期間にはブートストラップゲインを大きくできる。
【００４９】
また、有機ＥＬ素子などの電流駆動型の電気光学素子を画素回路に用いたアクティブマトリクス型の表示装置において、各画素回路が少なくとも駆動トランジスタの閾値補正機能を備えるようにすれば、閾値電圧のばらつきの影響を受けることがなく、良好な画質の表示装置を実現できる。望ましくは、駆動トランジスタの移動度補正機能を備えるようにすれば、さらに高品位の画質を得ることができる。
【００５０】
閾値補正機能により駆動トランジスタの閾値変動を補正することで、あるいは移動度補正機能により駆動トランジスタの移動度変動を補正することで、これらの変動やばらつきの影響を受けることなく発光輝度を一定に保つことができるからである。
【００５１】
ここで、閾値補正機能およびそれに先立つ閾値補正準備機能（初期化機能）を実現するに当たって、駆動トランジスタの電源供給端を第１電位と第２電位との間で遷移させる、つまり電源電圧をスイッチングパルスとして使用することが有効に機能する。すなわち、閾値補正機能を組み込むため、各画素回路の駆動トランジスタに供給する電源電圧をスイッチングパルスとして使用すると、閾値補正用のスイッチングトランジスタやその制御入力端を制御する走査線が不要になる。
【００５２】
結果として、２ＴＲ駆動の構成をベースとして、所定のタイミングで書込みゲインやブートストラップゲインを大きくするための本願特有の変形を加えるだけでよく、画素回路の構成素子数と配線本数が大幅に削減でき、画素アレイ部を縮小することができ、表示装置の高精細化を達成し易くなる。画素回路の簡素化を図りつつ、素子の特性変動による輝度変化の補正機能を実現できる。
【００５３】
素子数や配線数が少ないため高精細化に適しており、高精細の表示が求められる小型の表示装置を容易に実現できる。
【発明を実施するための最良の形態】
【００５４】
以下、図面を参照して本発明の実施形態について詳細に説明する。
【００５５】
＜表示装置の全体概要＞
図１は、本発明に係る表示装置の一実施形態であるアクティブマトリクス型表示装置の構成の概略を示すブロック図である。本実施形態では、たとえば画素の表示素子（電気光学素子、発光素子）として有機ＥＬ素子を、能動素子としてポリシリコン薄膜トランジスタ（ＴＦＴ；Thin Film Transistor）をそれぞれ用い、薄膜トランジスタを形成した半導体基板上に有機ＥＬ素子を形成してなるアクティブマトリクス型有機ＥＬディスプレイ（以下「有機ＥＬ表示装置」と称する）に適用した場合を例に採って説明する。
【００５６】
なお、以下においては、画素の表示素子として有機ＥＬ素子を例に具体的に説明するが、これは一例であって、対象となる表示素子は有機ＥＬ素子に限らない。一般的に電流駆動で発光する表示素子の全てに、後述する全ての実施形態が同様に適用できる。
【００５７】
図１に示すように、有機ＥＬ表示装置１は、複数の表示素子としての有機ＥＬ素子（図示せず）を持った画素回路（画素とも称される）１１０が表示アスペクト比である縦横比がＸ：Ｙ（たとえば９：１６）の有効映像領域を構成するように配置された表示パネル部１００と、この表示パネル部１００を駆動制御する種々のパルス信号を発するパネル制御部の一例である駆動信号生成部２００と、映像信号処理部３００を備えている。駆動信号生成部２００と映像信号処理部３００とは、１チップのＩＣ（Integrated Circuit；半導体集積回路）に内蔵されている。
【００５８】
なお、製品形態としては、図示のように、表示パネル部１００、駆動信号生成部２００、および映像信号処理部３００の全てを備えたモジュール（複合部品）形態の有機ＥＬ表示装置１として提供されることに限らず、たとえば、表示パネル部１００のみで有機ＥＬ表示装置１として提供することも可能である。また、このような有機ＥＬ表示装置１は、半導体メモリやミニディスク（ＭＤ）やカセットテープなどの記録媒体を利用した携帯型の音楽プレイヤーやその他の電子機器の表示部に利用される。
【００５９】
表示パネル部１００は、基板１０１の上に、画素回路Ｐがｎ行×ｍ列のマトリクス状に配列された画素アレイ部１０２と、画素回路Ｐを垂直方向に走査する垂直駆動部１０３と、画素回路Ｐを水平方向に走査する水平駆動部（水平セレクタあるいはデータ線駆動部とも称される）１０６と、外部接続用の端子部（パッド部）１０８などが集積形成されている。すなわち、垂直駆動部１０３や水平駆動部１０６などの周辺駆動回路が、画素アレイ部１０２と同一の基板１０１上に形成された構成となっている。
【００６０】
垂直駆動部１０３と水平駆動部１０６とで、信号電位の保持容量への書込みや、閾値補正動作や、移動度補正動作や、ブートストラップ動作や、書込みゲインあるいはブートストラップゲインの変更動作を制御する制御部１０９が構成される。
【００６１】
垂直駆動部１０３は、たとえば、書込走査部（ライトスキャナＷＳ；Write Scan）１０４や電源供給能力を有する電源スキャナとして機能する駆動走査部（ドライブスキャナＤＳ；Drive Scan）１０５を有する。
【００６２】
また、垂直駆動部１０３は、本実施形態の有機ＥＬ表示装置１の特徴点として、書込みゲインＧinput1やブートストラップゲインＧbst1を行ごとに所定のタイミングで切り替えるゲイン変更走査部１１６を有する。
【００６３】
画素アレイ部１０２は、一例として、図示する左右方向の一方側もしくは両側から書込走査部１０４および駆動走査部１０５で駆動され、かつ図示する上下方向の一方側もしくは両側から水平駆動部１０６で駆動されるようになっている。
【００６４】
端子部１０８には、有機ＥＬ表示装置１の外部に配された駆動信号生成部２００から、種々のパルス信号が供給されるようになっている。また同様に、映像信号処理部３００から映像信号Ｖsig が供給されるようになっている。
【００６５】
一例としては、垂直駆動用のパルス信号として、垂直方向の書込み開始パルスの一例である書込走査部１０４用のシフトスタートパルスSPWSおよび垂直走査クロックCKWSと駆動走査部１０５用のシフトスタートパルスSPDSおよび垂直走査クロックCKDSなど必要なパルス信号が供給される。また、本実施形態の特徴点として、ゲイン変更走査部１１６用のそそれぞれ２種類のシフトスタートパルスSPSEL1，SPSEL2および垂直走査クロックCKSEL1，CKSEL2が供給される。また、水平駆動用のパルス信号として、水平方向の書込み開始パルスの一例である水平スタートパルスSPH や水平走査クロックCKH など必要なパルス信号が供給される。
【００６６】
端子部１０８の各端子は、配線１０９を介して、垂直駆動部１０３や水平駆動部１０６に接続されるようになっている。たとえば、端子部１０８に供給された各パルスは、必要に応じて図示を割愛したレベルシフタ部で電圧レベルを内部的に調整した後、バッファを介して垂直駆動部１０３の各部や水平駆動部１０６に供給される。
【００６７】
画素アレイ部１０２は、図示を割愛するが（詳細は後述する）、表示素子としての有機ＥＬ素子に対して画素トランジスタが設けられた画素回路Ｐが行列状に２次元配置され、この画素配列に対して行ごとに走査線が配線されるとともに、列ごとに信号線が配線された構成となっている。
【００６８】
たとえば、画素アレイ部１０２には、走査線（ゲート線）１０４WSと映像信号線（データ線）１０６HSが形成されている。両者の交差部分には図示を割愛した有機ＥＬ素子とこれを駆動する薄膜トランジスタ（ＴＦＴ；Thin Film Transistor）が形成される。有機ＥＬ素子と薄膜トランジスタの組み合わせで画素回路Ｐを構成する。
【００６９】
具体的には、マトリクス状に配列された各画素回路Ｐに対しては、書込走査部１０４によって書込駆動パルスWSで駆動されるｎ行分の書込走査線１０４WS_1〜１０４WS_nおよび駆動走査部１０５によって電源駆動パルスDSL で駆動されるｎ行分の電源供給線１０５DSL_1 〜１０５DSL_n が画素行ごとに配線される。加えて、本実施形態の特徴点として、ゲイン変更走査部１１６によってゲイン変更パルスSEL1，SEL2で駆動されるｎ行分のゲイン変更走査線１１６SEL1_1〜１１６SEL1_n，１１６SEL2_1〜１１６SEL2_nが画素行ごとに配線される。
【００７０】
書込走査部１０４、駆動走査部１０５、およびゲイン変更走査部１１６は、駆動信号生成部２００から供給される垂直駆動系のパルス信号に基づき、書込走査線１０４WS、電源供給線１０５DSL 、およびゲイン変更走査線１１６SEL1，１１６SEL2を介して各画素回路Ｐを順次選択する。水平駆動部１０６は、駆動信号生成部２００から供給される水平駆動系のパルス信号に基づき、選択された画素回路Ｐに対し映像信号線１０６HSを介して映像信号Ｖsig の内の所定電位をサンプリングして保持容量に書き込ませる。
【００７１】
本実施形態の有機ＥＬ表示装置１においては、線順次駆動のみが可能になっており、垂直駆動部１０３の書込走査部１０４および駆動走査部１０５は線順次で（つまり行単位で）画素アレイ部１０２を走査するとともに、これに同期して水平駆動部１０６が、画像信号を、１水平ライン分を同時に、画素アレイ部１０２に書き込む。
【００７２】
たとえば、水平駆動部１０６は、線順次駆動に対応するため、全列の映像信号線１０６HS上に設けられた図示を割愛したスイッチを一斉にオンさせるドライバ回路を備えて構成され、映像信号処理部３００から入力される画素信号を、垂直駆動部１０３によって選択された行の１ライン分の全ての画素回路Ｐに同時に書き込むべく、全列の映像信号線１０６HS上に設けられた図示を割愛したスイッチを一斉にオンさせる。
【００７３】
垂直駆動部１０３の各部は、線順次駆動に対応するため、論理ゲートの組合せ（ラッチも含む）によって構成され、画素アレイ部１０２の各画素回路Ｐを行単位で選択する。なお、図１では、画素アレイ部１０２の一方側にのみ垂直駆動部１０３を配置する構成を示しているが、画素アレイ部１０２を挟んで左右両側に垂直駆動部１０３を配置する構成を採ることも可能である。
【００７４】
同様に、図１では、画素アレイ部１０２の一方側にのみ水平駆動部１０６を配置する構成を示しているが、画素アレイ部１０２を挟んで上下両側に水平駆動部１０６を配置する構成を採ることも可能である。
【００７５】
＜画素回路＞
図２は、図１に示した有機ＥＬ表示装置１を構成する本実施形態の画素回路Ｐに対する比較例を示す図である。なお、表示パネル部１００の基板１０１上において画素回路Ｐの周辺部に設けられた垂直駆動部１０３と水平駆動部１０６も合わせて示している。また、図３は、有機ＥＬ素子や駆動トランジスタの特性ばらつきが駆動電流Ｉdsに与える影響を説明する図である。
【００７６】
図２に示すように、比較例の画素回路Ｐは、それぞれｎチャネル型の駆動トランジスタ１２１およびサンプリングトランジスタ１２５と、電流が流れることで発光する電気光学素子の一例である有機ＥＬ素子１２７とを有する。一般に、有機ＥＬ素子１２７は整流性があるためダイオードの記号で表している。なお、有機ＥＬ素子１２７には、寄生容量Ｃelが存在する。図では、この寄生容量Ｃelを有機ＥＬ素子１２７と並列に示す。
【００７７】
駆動トランジスタ１２１は、ドレイン端Ｄが第１電源電位を供給する電源供給線DSL に接続され、ソース端（出力端）Ｓが、有機ＥＬ素子１２７のアノード端Ａに接続され（その接続点をノードＮＤ１２１とする）、有機ＥＬ素子１２７のカソード端Ｋが基準電位を供給する全画素共通の接地配線Ｖcath（GND ）に接続されている。
【００７８】
サンプリングトランジスタ１２５は、ゲート端Ｇが書込走査部１０４からの書込走査線１０４WSに接続され、ドレイン端Ｄが映像信号線１０６HSに接続され、ソース端Ｓが駆動トランジスタ１２１のゲート端Ｇに接続されている（その接続点をノードＮＤ１２２とする）。サンプリングトランジスタ１２５のゲート端Ｇには、書込走査部１０４からアクティブＨの書込駆動パルスWSが供給される。サンプリングトランジスタ１２５は、ソース端Ｓとドレイン端Ｄとを逆転させた接続態様とすることもできる。
【００７９】
駆動トランジスタ１２１のドレイン端Ｄは、電源スキャナとして機能する駆動走査部１０５からの電源供給線１０５DSL に接続されている。電源供給線１０５DSL は、この電源供給線１０５DSL そのものが、駆動トランジスタ１２１に対しての電源供給能力を備える点に特徴を有する。
【００８０】
駆動走査部１０５は、駆動トランジスタ１２１のドレイン端Ｄに対して、それぞれ電源電圧に相当する高電圧側の第１電位Ｖcc_Hと閾値補正に先立つ準備動作に利用される低電圧側の第２電位Ｖcc_L（初期化電圧もしくはイニシャル電圧Ｖini とも称される）とを切り替えて供給する。
【００８１】
駆動トランジスタ１２１のドレイン端Ｄ側を第１電位Ｖcc_Hと第２電位Ｖcc_Lの２値をとる電源駆動パルスDSL で駆動することで、閾値補正に先立つ準備動作を行なうことを可能にしている。
【００８２】
第２電位Ｖcc_Lとしては、映像信号線１０６HSにおける映像信号Ｖsig の基準電位Ｖｏ（オフセット電圧Ｖofs とも称する）より十分低い電位とする。具体的には、駆動トランジスタ１２１のゲート・ソース間電圧Ｖgs（ゲート電位Ｖｇとソース電位Ｖｓの差）が駆動トランジスタ１２１の閾値電圧Ｖthより大きくなるように、電源供給線１０５DSL の低電位側の第２電位Ｖcc_Lを設定する。なお、基準電位Ｖｏは、閾値補正動作に先立つ初期化動作に利用するとともに映像信号線１０６HSを予めプリチャージにしておくためにも利用する。
【００８３】
このような画素回路Ｐでは、有機ＥＬ素子１２７を駆動するときには、駆動トランジスタ１２１のドレイン端Ｄに第１電位Ｖcc_Hが供給され、ソース端Ｓが有機ＥＬ素子１２７のアノード端Ａ側に接続されることで、全体としてソースフォロワ回路を形成するようになっている。
【００８４】
図２に示す比較例の画素回路Ｐは、駆動トランジスタ１２１の他に走査用に１つのスイッチングトランジスタ（サンプリングトランジスタ１２５）を使用する２ＴＲ駆動の構成を採るとともに、各スイッチングトランジスタを制御する電源駆動パルスDSL および書込駆動パルスWSのオン／オフタイミングの設定により、有機ＥＬ素子１２７の経時劣化や駆動トランジスタ１２１の特性変動（たとえば閾値電圧や移動度などのばらつきや変動）による駆動電流Ｉdsに与える影響を防ぐ点に特徴を有する。
【００８５】
後述する本実施形態の画素回路Ｐは、図２に示す比較例の画素回路Ｐと同様に、基本的にｎチャネル型の薄膜電界効果トランジスタでドライブトランジスタが構成されている点に特徴を有する。また、有機ＥＬ素子の経時劣化による当該有機ＥＬ素子への駆動電流Ｉdsの変動を抑制するための回路、すなわち電気光学素子の一例である有機ＥＬ素子の電流−電圧特性の変化を補正して駆動電流Ｉdsを一定に維持する閾値補正機能や移動度補正機能を実現する駆動信号一定化回路（その１）を備え、駆動トランジスタの特性変動（閾値電圧ばらつきや移動度ばらつき）による駆動電流変動を防ぐ駆動方式を採用した点に特徴を有する。
【００８６】
駆動トランジスタ１２１の特性変動（たとえば閾値電圧や移動度などのばらつきや変動）による駆動電流Ｉdsに与える影響を抑制する方法としては、２ＴＲ構成の駆動回路をそのまま駆動信号一定化回路（その１）として採用しつつ、各トランジスタ１２１，１２５の駆動タイミングを工夫することで対処する。
【００８７】
ｐチャネル型のトランジスタではなく、ｎチャネル型のトランジスタで駆動トランジスタを構成することができれば、トランジスタ作成において従来のアモルファスシリコン（ａ−Ｓｉ）プロセスを用いることが可能になる。これにより、トランジスタ基板の低コスト化が可能となり、このような構成の画素回路Ｐの開発が期待される。
【００８８】
駆動トランジスタを始めとする各トランジスタとしてはＭＯＳトランジスタを使用する。この場合、駆動トランジスタについては、ゲート端を制御入力端として取り扱い、ソース端およびドレイン端の何れか一方（ここではソース端とする）を出力端として取り扱い、他方を電源供給端（ここではドレイン端とする）として取り扱う。
【００８９】
また、２ＴＲ駆動の構成であり、素子数や配線数が少ないため、高精細化が可能であることに加えて、映像信号Ｖsig の劣化なくサンプリングできるため、良好な画質を得ることができる。
【００９０】
また図２に示す比較例の画素回路Ｐは、保持容量１２０の接続態様に特徴を有し、有機ＥＬ素子１２７の経時劣化による駆動電流変動を防ぐ回路として、駆動信号一定化回路（その２）の一例であるブートストラップ回路を構成する。有機ＥＬ素子の電流−電圧特性に経時変化があった場合でも駆動電流を一定にする（駆動電流変動を防ぐ）ブートストラップ機能を実現する駆動信号一定化回路（その２）を備えた点に特徴を有するのである。
【００９１】
具体的には、比較例の画素回路Ｐは、駆動トランジスタ１２１のゲート端Ｇ（ノードＮＤ１２２）とソース端Ｓとの間に保持容量１２０が接続され、駆動トランジスタ１２１のソース端Ｓが直接に有機ＥＬ素子１２７のアノード端Ａに接続されている。
【００９２】
＜基本動作＞
先ず、図２や後述する本実施形態の画素回路Ｐの特徴を説明する上での比較例として、保持容量１２０は、一方の端子がノードＮＤ１２２に接続され、他方の端子が全画素共通の接地配線Ｖcath（GND ）に接続されている場合での動作について説明する。以下、このような画素回路Ｐを第１比較例の画素回路Ｐと称し、それとの区別のため、図２に示す画素回路Ｐを第２比較例の画素回路Ｐと称する。第２比較例の画素回路Ｐを画素アレイ部１０２に備える有機ＥＬ表示装置１を第２比較例の有機ＥＬ表示装置１と称する。
【００９３】
第１比較例の画素回路Ｐでは、駆動トランジスタ１２１のソース端Ｓの電位（ソース電位Ｖｓ）は、駆動トランジスタ１２１と有機ＥＬ素子１２７との動作点で決まり、その電圧値は駆動トランジスタ１２１のゲート電位Ｖｇによって異なる値を持ってしまう。
【００９４】
一般的に、駆動トランジスタ１２１は飽和領域で駆動される。よって、飽和領域で動作するトランジスタのドレイン端−ソース間に流れる電流をＩds、移動度をμ、チャネル幅（ゲート幅）をＷ、チャネル長（ゲート長）をＬ、ゲート容量（単位面積当たりのゲート酸化膜容量）をＣoxは、トランジスタの閾値電圧をＶthとすると、駆動トランジスタ１２１は下記の式（１）に示した値を持つ定電流源となっている。式（１）から明らかなように、飽和領域ではトランジスタのドレイン電流Ｉdsはゲート・ソース間電圧Ｖgsによって制御される。
【００９５】
【数１】
2008185874.tif 000003
【００９６】
＜発光素子のＩel−Ｖel特性とＩ−Ｖ特性＞
図３（１）に示す有機ＥＬ素子で代表される電流駆動型の発光素子の電流−電圧（Ｉel−Ｖel）特性において、実線で示す曲線が初期状態時の特性を示し、破線で示す曲線が経時変化後の特性を示している。一般的に有機ＥＬ素子を始めとする電流駆動型の発光素子のＩ−Ｖ特性は、グラフに示すように時間が経過すると劣化する。
【００９７】
たとえば、発光素子の一例である有機ＥＬ素子１２７に発光電流Ｉelが流れるとき、そのアノード・カソード間電圧Ｖelは一意的に決定される。図３（１）に示すように、発光期間中では、有機ＥＬ素子１２７のアノード端Ａは駆動トランジスタ１２１のドレイン・ソース間電流Ｉds（＝駆動電流Ｉds）で決定される発光電流Ｉelが流れ、それによってアノード・カソード間電圧Ｖel分だけ上昇する。
【００９８】
比較例の画素回路Ｐでは、この有機ＥＬ素子１２７のＩ−Ｖ特性の経時変化により同じ発光電流Ｉelに対するアノード・カソード間電圧ＶelがＶel1 からＶel2 へと変化することで、駆動トランジスタ１２１の動作点が変化してしまい、同じゲート電位Ｖｇを印加しても駆動トランジスタ１２１のソース電位Ｖｓは変化してしまい、その結果として、駆動トランジスタ１２１のゲート・ソース間電圧Ｖgsは変化してしまう。
【００９９】
駆動トランジスタ１２１としてｎチャネル型を使用した単純な回路では、ソース端Ｓが有機ＥＬ素子１２７側に接続されてしまうため、有機ＥＬ素子１２７のＩ−Ｖ特性の経時変化の影響を受けてしまい、有機ＥＬ素子１２７に流れる電流量（発光電流Ｉel）が変化し、その結果、発光輝度は変化してしまうことになる。
【０１００】
具体的には、比較例の画素回路Ｐでは、有機ＥＬ素子１２７のＩ−Ｖ特性の経時変化により動作点が変化してしまい、同じゲート電位Ｖｇを印加しても駆動トランジスタ１２１のソース電位Ｖｓは変化してしまう。これにより、駆動トランジスタ１２１のゲート・ソース間電圧Ｖgsは変化してしまう。特性式（１）から明らかなように、ゲート・ソース間電圧Ｖgsが変動すると、たとえゲート電位Ｖｇが一定であっても駆動電流Ｉdsが変動し、同時に有機ＥＬ素子１２７に流れる電流値も変化する。このように有機ＥＬ素子１２７のＩ−Ｖ特性が変化すると、第１比較例の画素回路Ｐでは、有機ＥＬ素子１２７の発光輝度が経時的に変化してしまう。
【０１０１】
駆動トランジスタ１２１としてｎチャネル型を使用した単純な回路では、ソース端Ｓが有機ＥＬ素子１２７側に接続されてしまうため、有機ＥＬ素子１２７の経時変化とともに、ゲート・ソース間電圧Ｖgsが変化してしまい、有機ＥＬ素子１２７に流れる電流量が変化し、その結果、発光輝度は変化してしまうのである。
【０１０２】
発光素子の一例である有機ＥＬ素子１２７の特性の経時変動による有機ＥＬ素子１２７のアノード電位変動は、駆動トランジスタ１２１のゲート・ソース間電圧Ｖgsの変動となって現れ、ドレイン電流（駆動電流Ｉds）の変動を引き起こす。この原因による駆動電流の変動は画素回路Ｐごとの発光輝度のばらつきとなって現れ、画質の劣化が起きる。
【０１０３】
これに対して、詳細は後述するが、保持容量１２０に信号電位Ｖinに対応する情報が書き込まれた時点で（さらにその後の有機ＥＬ素子１２７の発光期間は継続的に）サンプリングトランジスタ１２５を非導通状態にすることで駆動トランジスタ１２１のソース端Ｓの電位Ｖｓの変動にゲート端Ｇの電位Ｖｇが連動するようにするブートストラップ機能を実現する回路構成および駆動タイミングとするブートストラップ動作をさせる。
【０１０４】
これにより、有機ＥＬ素子１２７の特性の経時変動による有機ＥＬ素子１２７のアノード電位変動（つまりソース電位変動）があっても、その変動を相殺するようにゲート電位Ｖｇを変動させることで、画面輝度の均一性（ユニフォーミティ）を確保できる。ブートストラップ機能により、有機ＥＬ素子を代表とする電流駆動型の発光素子の経時変動補正能力を向上させることができる。
【０１０５】
このブートストラップ機能は、書込駆動パルスWSをインアクティブＬに切り替えてサンプリングトランジスタ１２５をオフさせた発光開始時点で開始させることができ、その後、有機ＥＬ素子１２７に発光電流Ｉelが流れ始め、それとともにアノード・カソード間電圧Ｖelが安定となるまで上昇していく過程で、アノード・カソード間電圧Ｖelの変動に伴って駆動トランジスタ１２１のソース電位Ｖｓが変動する際にも機能する。
【０１０６】
＜駆動トランジスタのＶgs−Ｉds特性＞
また、駆動トランジスタ１２１の製造プロセスのばらつきにより、画素回路Ｐごとに閾値電圧や移動度などの特性変動がある。駆動トランジスタ１２１を飽和領域で駆動する場合においても、この特性変動により、駆動トランジスタ１２１に同一のゲート電位を与えても、画素回路Ｐごとにドレイン電流（駆動電流Ｉds）が変動し、発光輝度のばらつきになって現れる。
【０１０７】
たとえば、図３（２）は、駆動トランジスタ１２１の閾値ばらつきに着目した電圧電流（Ｖgs−Ｉds）特性を示す図である。閾値電圧がＶth１とＶth２で異なる２個の駆動トランジスタ１２１について、それぞれ特性カーブを挙げてある。
【０１０８】
前述のように、駆動トランジスタ１２１が飽和領域で動作しているときのドレイン電流Ｉdsは、特性式（１）で表される。特性式（１）から明らかなように、閾値電圧Ｖthが変動すると、ゲート・ソース間電圧Ｖgsが一定であってもドレイン電流Ｉdsが変動する。つまり、閾値電圧Ｖthのばらつきに対して何ら対策を施さないと、図３（２）に示すように、閾値電圧がＶth１のときＶgsに対応する駆動電流がＩds１となるのに対して、閾値電圧がＶth２のときの同じゲート電圧Ｖgsに対応する駆動電流Ｉds２はＩds１と異なってしまう。
【０１０９】
また、図３（３）は、駆動トランジスタ１２１の移動度ばらつきに着目した電圧電流（Ｖgs−Ｉds）特性を示す図である。移動度がμ１とμ２で異なる２個の駆動トランジスタ１２１について、それぞれ特性カーブを挙げてある。
【０１１０】
特性式（１）から明らかなように、移動度μが変動すると、ゲート・ソース間電圧Ｖgsが一定であってもドレイン電流Ｉdsが変動する。つまり、移動度μのばらつきに対して何ら対策を施さないと、図３（３）に示すように、移動度がμ１のときＶgsに対応する駆動電流がＩds１となるのに対して、移動度がμ２のときの同じゲート電圧Ｖgsに対応する駆動電流がＩds２となり、Ｉds１と異なってしまう。
【０１１１】
図３（２）や図３（３）に示すように、閾値電圧Ｖthや移動度μの違いでＶin−Ｉds特性に大きな違いが出てしまうと、同じ信号電位Ｖinを与えても、駆動電流Ｉdsすなわち発光輝度が異なってしまい、画面輝度の均一性（ユニフォーミティ）が得られない。
【０１１２】
＜第２比較例の画素回路の動作＞
これに対して、第２比較例や本実施形態の画素回路Ｐにおける閾値補正機能および移動度補正機能を実現する駆動タイミング（詳細は後述する）とすることで、それらの変動の影響を抑制でき、画面輝度の均一性（ユニフォーミティ）を確保できる。閾値補正動作および移動度補正動作では、発光時のゲート・ソース間電圧Ｖgsが“Ｖin＋Ｖth−ΔＶ”で表されるようにすることで、ドレイン・ソース間電流Ｉdsが、閾値電圧Ｖthのばらつきや変動に依存しないようにするとともに、移動度μのばらつきや変動に依存しないようにする。結果として、閾値電圧Ｖthや移動度μが製造プロセスや経時により変動しても、駆動電流Ｉdsは変動せず、有機ＥＬ素子１２７の発光輝度も変動しない。
【０１１３】
第２比較例（事実上、後述する本実施形態の画素回路Ｐも同様；以下駆動タイミングに関して同様）の画素回路Ｐにおいて、駆動タイミングとしては、先ず、サンプリングトランジスタ１２５は、書込走査線１０４WSから供給された書込駆動パルスWSに応じて導通し、映像信号線１０６HSから供給された映像信号Ｖsig をサンプリングして保持容量１２０に保持する。この点は、第１比較例の画素回路Ｐを駆動する場合と同じである。
【０１１４】
なお、第２比較例の画素回路Ｐにおける駆動タイミングは、映像信号Ｖsig の信号電位Ｖinの情報を保持容量１２０に書き込む際に、順次走査の観点からは、１行分の映像信号を同時に各列の映像信号線１０６HSに伝達する線順次駆動を行なう。
【０１１５】
駆動トランジスタ１２１は、第１電位（高電位側）にある電源供給線１０５DSL から電流の供給を受け保持容量１２０に保持された信号電位（映像信号Ｖsig の有効期間の電位に対応する電位）に応じて駆動電流Ｉdsを有機ＥＬ素子１２７に流す。
【０１１６】
垂直駆動部１０３は、電源供給線１０５DSL が第１電位にありかつ映像信号線１０６HSが映像信号Ｖsig の非有効期間である基準電位Ｖｏにある時間帯でサンプリングトランジスタ１２５を導通させる制御信号として書込駆動パルスWSを出力して、駆動トランジスタ１２１の閾値電圧Ｖthに相当する電圧を保持容量１２０に保持しておく。この動作が閾値補正機能を実現する。この閾値補正機能により、画素回路Ｐごとにばらつく駆動トランジスタ１２１の閾値電圧Ｖthの影響をキャンセルすることができる。
【０１１７】
第２比較例の画素回路Ｐを駆動する駆動タイミングとしては、垂直駆動部１０３は、映像信号Ｖsig の内の信号電位Ｖinのサンプリングに先行する複数の水平期間で閾値補正動作を繰り返し実行して確実に駆動トランジスタ１２１の閾値電圧Ｖthに相当する電圧を保持容量１２０に保持する。
【０１１８】
このように、第２比較例の画素回路Ｐにおいて、閾値補正動作を複数回実行することで、十分に長い書込み時間を確保する。こうすることで、駆動トランジスタ１２１の閾値電圧Ｖthに相当する電圧を確実に保持容量１２０に予め保持することができる。
【０１１９】
この保持された閾値電圧Ｖthに相当する電圧は駆動トランジスタ１２１の閾値電圧Ｖthのキャンセルに用いられる。したがって、画素回路Ｐごとに駆動トランジスタ１２１の閾値電圧Ｖthがばらついていても、画素回路Ｐごとに完全にキャンセルされるため、画像のユニフォーミティすなわち表示装置の画面全体に亘る発光輝度の均一性が高まる。特に信号電位が低階調のときに現れがちな輝度ムラを防ぐことができる。
【０１２０】
好ましくは、垂直駆動部１０３は、閾値補正動作に先立って、電源供給線１０５DSL が第２電位Ｖcc_Lにありかつ映像信号線１０６HSが映像信号Ｖsig の非有効期間である基準電位Ｖｏにある時間帯で、書込駆動パルスWSをアクティブ（本例ではＨレベル）にしてサンプリングトランジスタ１２５を導通させ、その後に書込駆動パルスWSをアクティブＨにしたままで電源供給線１０５DSL を第１電位Ｖcc_Hに設定する。
【０１２１】
こうすることで、駆動トランジスタ１２１のゲート端Ｇを基準電位Ｖｏにセットしかつソース端Ｓを第２電位Ｖcc_Lにセットしてから閾値補正動作を開始する。このようなゲート電位およびソース電位のリセット動作（初期化動作）により、後続する閾値補正動作を確実に実行することが可能になる。
【０１２２】
なお、電源駆動パルスDSL のオフタイミング（第１電位Ｖcc_Hから第２電位Ｖcc_Lへ遷移するタイミング）は、閾値補正動作に先立つ初期化動作の開始を規定する。オンタイミング（第２電位Ｖcc_Lから第１電位Ｖcc_Hへ遷移するタイミング）は、閾値補正動作に先立つ初期化動作の終了、換言すれば、閾値補正動作の開始を規定する。
【０１２３】
また、第２比較例の画素回路Ｐにおいては、閾値補正機能に加えて、移動度補正機能を備えている。すなわち、垂直駆動部１０３は、映像信号線１０６HSが映像信号Ｖsig の有効期間である信号電位Ｖinにある時間帯にサンプリングトランジスタ１２５を導通状態にするため、書込走査線１０４WSに供給する書込駆動パルスWSを、上述の時間帯より短い期間だけアクティブ（本例ではＨレベル）にする。この書込駆動パルスWSのアクティブ期間（サンプリング期間でもあり移動度補正期間でもある）を適切に設定することで、保持容量１２０に信号電位Ｖsig を保持する際、同時に駆動トランジスタ１２１の移動度μに対する補正を信号電位Ｖsig に加える。
【０１２４】
特に、第２比較例の駆動タイミングでは、電源供給線１０５DSL が高電位側である第１電位Ｖcc_Hあり、かつ、映像信号Ｖsig が有効期間にある時間帯内で書込駆動パルスWSをアクティブにしている。つまり、その結果、移動度補正時間（サンプリング期間も）は、映像信号線１０６HSの電位が、映像信号Ｖsig の有効期間の電位（信号線電位）にある時間幅と書込駆動パルスWSのアクティブ期間の両者が重なった範囲で決まる。特に、映像信号線１０６HSが信号電位にある時間幅の中に入るように書込駆動パルスWSのアクティブ期間幅を細めに決めているため、結果的に移動度補正時間は書込駆動パルスWSで決まる。
【０１２５】
正確には、移動度補正時間（サンプリング期間も）は、書込駆動パルスWS立ち上がってサンプリングトランジスタ１２５がオンしてから、同じく書込駆動パルスWSが立ち下がってサンプリングトランジスタ１２５がオフするまでの時間となる。
【０１２６】
ここで、画面の左右方向について考察した場合、詳細説明図は割愛するが、１行内の全ての画素回路Ｐに対して書込駆動パルスWSは書込走査部１０４から共通に供給されるので、書込駆動パルスWSの波形が配線容量や配線抵抗の影響で、書込走査部１０４から遠い画素回路Ｐ（遠側画素と称する）の方が書込走査部１０４から近い画素回路Ｐ（近側画素と称する）よりも、その波形鈍りが大きくなってしまう。これに対して、映像信号線電位については、遠側画素および近側画素ともに、信号源である水平駆動部１０６からの距離が同じであるので、波形に差がない。
【０１２７】
よって、書込駆動パルスWSの波形が大きく鈍って劣化する遠側画素では、近側画素に比べてサンプリングトランジスタ１２５のオンタイミングが後方にずれるが、オフタイミングも後方にシフトする。したがって、両者の差で決まる移動度補正時間は、結局近側画素の移動度補正時間とあまり変わらないことになる。
【０１２８】
また、サンプリングトランジスタ１２５によって最終的に保持容量１２０にサンプリングされる信号電位（サンプリング電位）は、ちょうどサンプリングトランジスタ１２５がオフになったときの映像信号線電位で与えられる。近側画素および遠側画素ともにサンプリング電位は信号電位Ｖinとなり差は生じない。
【０１２９】
このように、第２比較例の駆動タイミングでは、遠側画素と近側画素でサンプリングされる映像信号電位は殆ど差はない。さらに移動度補正時間についても、遠側画素と近側画素とでは殆ど差は無視できる程度である。これにより、有機ＥＬ表示装置１は、画面の左右で輝度差が現れることがなく、シェーディングは抑制され良好な画質の表示装置を実現できる。
【０１３０】
また、画面の上下方向について考察した場合、書込駆動パルスWSは、画面の上側の画素回路Ｐ（上側画素と称する）と画面の下側の画素回路Ｐ（下側画素と称する）とで同じ位置をとっているため、書込駆動パルスWSの波形（走査線電位波形）には差はない。一方、１列内の全ての画素回路Ｐに対して映像信号Ｖsig は水平駆動部１０６から映像信号線１０６HSを介して共通に供給されるので、配線容量や配線抵抗の影響で、水平駆動部１０６から遠い遠側画素の方が水平駆動部１０６から近い近側画素よりも、映像信号電圧の遅延量が大きくなってしまう。
【０１３１】
しかしながら、映像信号線１０６HSに現れる信号電位波形が遅延しても、映像信号線１０６HSが信号電位（映像信号Ｖsig の有効期間の電位）にある時間幅に書込駆動パルスWSが入っている限り、サンプリング電位や移動度補正時間に殆ど差は生じない。その結果、画面下側と上側で、サンプリングされる映像信号電位はほぼ等しくなるし、移動度補正時間もほぼ等しくなる。これにより、画面の上側と下側との間の輝度差は抑制され、良好な画質の表示装置を実現できる。
【０１３２】
また、第２比較例の画素回路Ｐにおいては、ブートストラップ機能も備えている。すなわち、書込走査部１０４は、保持容量１２０に映像信号Ｖsig の信号電位Ｖinが保持された段階で書込走査線１０４WSに対する書込駆動パルスWSの印加を解除し（すなわちインアクティブＬ（ロー）にして）、サンプリングトランジスタ１２５を非導通状態にして駆動トランジスタ１２１のゲート端Ｇを映像信号線１０６HSから電気的に切り離す。
【０１３３】
駆動トランジスタ１２１のゲート端Ｇとソース端Ｓとの間には保持容量１２０が接続されており、その保持容量１２０による効果によって、駆動トランジスタ１２１のソース電位Ｖｓの変動にゲート電位Ｖｇが連動するようになり、ゲート・ソース間電圧Ｖgsを一定に維持することができる。
【０１３４】
＜タイミングチャート；第２比較例＞
図４は、図２に示した第２比較例の画素回路Ｐに関する駆動タイミングの一例として、線順次方式で信号電位Ｖinの情報を保持容量１２０に書き込む際の動作を説明するタイミングチャートである。
【０１３５】
図４においては、時間軸を共通にして、書込走査線１０４WSの電位変化、電源供給線１０５DSL の電位変化、および映像信号線１０６HSの電位変化を表してある。また、これらの電位変化と並行に、１行分（図では１行目）について駆動トランジスタ１２１のゲート電位Ｖｇおよびソース電位Ｖｓの変化も表してある。
【０１３６】
基本的には、書込走査線１０４WSや電源供給線１０５DSL の１行ごとに、１水平走査期間だけ遅れて同じような駆動を行なう。図４における各タイミングや信号は、処理対象行を問わず、第１行目のタイミングや信号と同じタイミングや信号で示す。そして、説明中において区別が必要とされるときには、そのタイミングや信号に、処理対象行を“_ ”付きの参照子で示すことで区別する。
【０１３７】
また、第２比較例の駆動タイミングでは、映像信号Ｖsig が非有効期間である基準電位Ｖｏにある期間を１水平期間の前半部（ここでは１／２Ｈとする）とし、有効期間である信号電位Ｖinにある期間を１水平期間の後半部とする。また、映像信号Ｖsig の有効期間と非有効期間を合わせた１水平期間ごとに、閾値補正動作を３回に亘って繰り返すようにする。その各回の映像信号Ｖsig の有効期間と非有効期間の切替タイミング（ｔ１３Ｖ，ｔ１５Ｖ）、および書込駆動パルスWSのアクティブとインアクティブの切替タイミング（ｔ１３Ｗ，ｔ１５Ｗ）については、そのタイミングに、各回を“_ ”なしの参照子で示すことで区別する。
【０１３８】
なお、ここでは、１水平期間を処理サイクルとして、閾値補正動作を３回に亘って繰り返すようにしているが、この繰り返し動作は必須ではなく、１水平期間を処理サイクルとして、１回のみの閾値補正動作を実行するようにしてもよい。
【０１３９】
なお、閾値補正動作を複数回実行する場合に、１水平期間が閾値補正動作の処理サイクルとなるのは、行ごとに、サンプリングトランジスタ１２５が信号電位Ｖinを保持容量１２０にサンプリングする前に、閾値補正動作に先立って、電源供給線１０５DSL の電位を第２電位Ｖcc_Lにセットし、また駆動トランジスタ１２１のゲートを基準電位Ｖinにセットし、さらにソース電位を第２電位Ｖcc_Lにセットする初期化動作を経てから、電源供給線１０５DSL の電位が第１電位Ｖcc_Hにある状態でかつ映像信号線１０６HSが基準電位Ｖｏにある時間帯でサンプリングトランジスタ１２５を導通させて駆動トランジスタ１２１の閾値電圧Ｖthに対応する電圧を保持容量１２０に保持させようとする閾値補正動作を行なうからである。
【０１４０】
必然的に、閾値補正期間は、１水平期間よりも短くなってしまう。したがって、保持容量１２０の容量Ｃｓや第２電位Ｖcc_Lの大きさ関係やその他の要因で、この短い１回分の閾値補正動作期間では、閾値電圧Ｖthに対応する正確な電圧を保持容量１２０に保持仕切れないケースも起こり得る。本実施形態において、閾値補正動作を複数回実行するのは、この対処のためである。すなわち、信号電位Ｖinの保持容量１２０へのサンプリング（信号書込み）に先行する複数の水平周期で、閾値補正動作を繰り返し実行することで、確実に駆動トランジスタ１２１の閾値電圧Ｖthに相当する電圧を保持容量１２０に保持させるのである。
【０１４１】
ある行（ここでは第１行目とする）について、タイミングｔ１１以前の前フィールドの発光期間Ｂでは、書込駆動パルスWSがインアクティブＬでありサンプリングトランジスタ１２５が非導通状態である一方、電源駆動パルスDSL は高電位の電源電圧側である第１電位Ｖcc_Hにある。
【０１４２】
したがって、映像信号線１０６HSの電位に関わらず、前フィールドの動作によって保持容量１２０に保持されている電圧状態（駆動トランジスタ１２１のゲート・ソース間電圧Ｖgs）に応じて有機ＥＬ素子１２７に駆動トランジスタ１２１から駆動電流Ｉdsが供給され、全画素共通の接地配線Ｖcath（GND ）に流れ込むことで、有機ＥＬ素子１２７が発光状態にある。
【０１４３】
この後、線順次走査の新しいフィールドに入って、先ず、駆動走査部１０５は、書込駆動パルスWSがインアクティブＬにある状態で、１行目の電源供給線１０５DSL_1 に与える電源駆動パルスDSL_1 を高低電位側の第１電位Ｖcc_Hから低電位側の第２電位Ｖcc_Lに切り替える（ｔ１１_1）。
【０１４４】
図４では、このタイミング（ｔ１１_1）を、映像信号Ｖsig が有効期間の信号電位Ｖinにあるときにしている。ただし、このことは必須ではない。オフ時の映像信号Ｖsig に与える影響を勘案すれば、映像信号Ｖsig が非有効期間の基準電位Ｖｏにあるとき（ｔ１３V0〜ｔ１５V0の範囲内）とするのが好ましいとも言える。
【０１４５】
次に、書込走査部１０４は、電源供給線１０５DSL_1 が第２電位Ｖcc_Lにある状態のままで、書込駆動パルスWSをアクティブＨに切り替える（ｔ１３W1）。このタイミング（ｔ１３W1）は、直前の水平期間における映像信号Ｖsig が非有効期間である基準電位Ｖｏから有効期間の信号電位Ｖinに切り替わり（ｔ１５V0）、その後に、当該水平期間における映像信号Ｖsig の有効期間の信号電位Ｖinから非有効期間である基準電位Ｖｏに切り替わるタイミング（ｔ１３V1）と同じかそれよりも少し遅れたタイミングにする。この後に書込駆動パルスWSをインアクティブＬに切り替えるタイミング（ｔ１５W1）は、映像信号Ｖsig が非有効期間である基準電位Ｖｏから有効期間の信号電位Ｖinに切り替わるタイミング（ｔ１５V1）と同じかそれよりも少し前のタイミングにする。
【０１４６】
つまり、好ましくは、書込駆動パルスWSをアクティブＨにする期間（ｔ１３Ｗ〜ｔ１５Ｗ）は、映像信号Ｖsig が非有効期間である基準電位Ｖｏにある時間帯（ｔ１３Ｖ〜ｔ１５Ｖ）内とする。これは、電源供給線１０５DSL が第１電位Ｖcc_Hにある状態のときで映像信号Ｖsig が信号電位Ｖinにあるときに書込駆動パルスWSをアクティブＨにすると信号電位Ｖinの保持容量１２０へのサンプリング動作（信号電位の書込み動作）がなされてしまい、閾値補正動作としては不都合が生じるからである。
【０１４７】
タイミングｔ１１_1〜ｔ１３W1（放電期間Ｃと称する）では、電源供給線１０５DSL の電位は第２電位Ｖcc_Lまで放電され、さらに駆動トランジスタ１２１のソース電位Ｖｓは第２電位Ｖcc_Lに近い電位まで遷移する。さらに、駆動トランジスタ１２１のゲート端Ｇとソース端Ｓとの間には保持容量１２０が接続されており、その保持容量１２０による効果によって、駆動トランジスタ１２１のソース電位Ｖｓの変動にゲート電位Ｖｇが連動する。
【０１４８】
電源供給線１０５DSL の配線容量が大きい場合は比較的早いタイミングで電源供給線１０５DSL を高電位Ｖcc_Hから低電位Ｖcc_Lに切り替えるとよい。この放電期間Ｃ（ｔ１１_1〜ｔ１３W1）を十分に確保することで、配線容量やその他の画素寄生容量の影響を受けないようにしておく。
【０１４９】
電源駆動パルスDSL を低電位側の第２電位Ｖcc_Lにしたままで、書込駆動パルスWSをアクティブＨに切り替えると（ｔ１３W1）、サンプリングトランジスタ１２５が導通状態になる。
【０１５０】
このとき、映像信号線１０６HSは基準電位Ｖｏにある。したがって、駆動トランジスタ１２１のゲート電位Ｖｇは導通したサンプリングトランジスタ１２５を通じて映像信号線１０６HSの基準電位Ｖｏとなる。これと同時に、駆動トランジスタ１２１がオンすることで、駆動トランジスタ１２１のソース電位Ｖｓは即座に低電位側の第２電位Ｖcc_Lに固定される。
【０１５１】
つまり、電源供給線１０５DSL の電位が高電位側の第１電位Ｖcc_Hから映像信号線１０６HSの基準電位Ｖｏより十分低い第２電位Ｖcc_Lにあることで、駆動トランジスタ１２１のソース電位Ｖｓが映像信号線１０６HSの基準電位Ｖｏより十分低い第２電位Ｖcc_Lに初期化（リセット）される。このようにして、駆動トランジスタ１２１のゲート電位Ｖｇおよびソース電位Ｖｓを初期化することで、閾値補正動作の準備が完了する。次に電源駆動パルスDSL を高電位側の第１電位Ｖcc_Hにするまでの期間（ｔ１３W1〜ｔ１４_1）が、初期化期間Ｄとなる。なお、放電期間Ｃと初期化期間Ｄとを合わせて、駆動トランジスタ１２１のゲート電位Ｖｇとソース電位Ｖｓを初期化する閾値補正準備期間とも称する。
【０１５２】
次に、書込駆動パルスWSをアクティブＨにしたままで、電源供給線１０５DSL に与える電源駆動パルスDSL を第１電位Ｖcc_Hに切り替える（ｔ１４_1）。駆動走査部１０５は、それ以降は、次のフレーム（あるいはフィールド）の処理まで、電源供給線１０５DSL の電位を第１電位Ｖcc_Hに保持しておく。
【０１５３】
これにより、ドレイン電流が保持容量１２０に流れ込み、駆動トランジスタ１２１の閾値電圧Ｖthを補正（キャンセル）する第１回目の閾値補正期間（第１閾値補正期間Ｅと称する）に入る。この第１閾値補正期間Ｅは、書込駆動パルスWSがインアクティブＬにされるタイミング（ｔ１５W1）まで継続する。
【０１５４】
タイミング（ｔ１４_1）以降の第１閾値補正期間Ｅでは、電源供給線１０５DSL の電位が低電位側の第２電位Ｖcc_Lから高電位側の第１電位Ｖcc_Hに遷移することで、駆動トランジスタ１２１のソース電位Ｖｓが上昇を開始する。
【０１５５】
すなわち、駆動トランジスタ１２１のゲート端Ｇは映像信号Ｖsig の基準電位Ｖｏに保持されており、駆動トランジスタ１２１のソース端Ｓの電位Ｖｓが上昇して駆動トランジスタ１２１がカットオフするまでドレイン電流が流れようとする。カットオフすると駆動トランジスタ１２１のソース電位Ｖｓは“Ｖｏ−Ｖth”となる。
【０１５６】
すなわち、有機ＥＬ素子１２７の等価回路はダイオードと寄生容量Ｃelの並列回路で表されるため、“Ｖel≦Ｖcath＋ＶthEL”である限り、つまり、有機ＥＬ素子１２７のリーク電流が駆動トランジスタ１２１に流れる電流よりもかなり小さい限り、駆動トランジスタ１２１の電流は保持容量１２０と寄生容量Ｃelを充電するために使われる。
【０１５７】
この結果、駆動トランジスタ１２１を流れるドレイン電流の電流路が遮断されると、有機ＥＬ素子１２７のアノード端Ａの電圧ＶelつまりノードＮＤ１２１の電位は、時間とともに上昇してゆく。そして、ノードＮＤ１２１の電位（ソース電位Ｖｓ）とノードＮＤ１２２の電圧（ゲート電位Ｖｇ）との電位差がちょうど閾値電圧Ｖthとなったところで駆動トランジスタ１２１はオン状態からオフ状態となり、ドレイン電流は流れなくなり、閾値補正期間が終了する。つまり、一定時間経過後、駆動トランジスタ１２１のゲート・ソース間電圧Ｖgsは閾値電圧Ｖthという値をとる。
【０１５８】
ここで、実際には、閾値電圧Ｖthに相当する電圧が、駆動トランジスタ１２１のゲート端Ｇとソース端Ｓとの間に接続された保持容量１２０に書き込まれることになる。しかしながら、第１閾値補正期間Ｅは、書込駆動パルスWSをアクティブＨにしたタイミング（ｔ１３W1）（詳しくはその後に電源駆動パルスDSL を第１電位Ｖcc_Hに戻した時点ｔ１４）からインアクティブＬに戻すタイミング（ｔ１５W1）までであり、この期間が十分に確保されていないときには、それ以前に終了してしまうこととなる。
【０１５９】
具体的には、ゲート・ソース間電圧ＶgsがＶｘ１（＞Ｖth）になったとき、つまり、駆動トランジスタ１２１のソース電位Ｖｓが低電位側の第２電位Ｖcc_Lから“Ｖｏ−Ｖｘ１”になったときに終わってしまう。このため、第１閾値補正期間Ｅが完了した時点（ｔ１５W1）では、Ｖｘ１が保持容量１２０に書き込まれる。
【０１６０】
次に、駆動走査部１０５は、１水平期間の後半部で、書込駆動パルスWSをインアクティブＬに切り替え（ｔ１５W1）、さらに水平駆動部１０６は、映像信号線１０６HSの電位を基準電位Ｖｏから信号電位Ｖinに切り替える（ｔ１５V1）。これにより、映像信号線１０６HSが信号電位Ｖinに変化する一方、書込走査線１０４WSの電位（書込駆動パルスWS）はローレベルになる。
【０１６１】
このときには、サンプリングトランジスタ１２５は非導通（オフ）状態にあり、それ以前に保持容量１２０に保持されたＶｘ１に応じたドレイン電流が有機ＥＬ素子１２７に流れることで、ソース電位Ｖｓが僅かに上昇する。この上昇分をＶａ１とすると、ソース電位Ｖｓは“Ｖｏ−Ｖｘ１＋Ｖａ１”となる。さらに、駆動トランジスタ１２１のゲート端Ｇとソース端Ｓとの間には保持容量１２０が接続されており、その保持容量１２０による効果によって、駆動トランジスタ１２１のソース電位Ｖｓの変動にゲート電位Ｖｇが連動することで、ゲート電位Ｖｇが“Ｖｏ＋Ｖａ１”となる。
【０１６２】
第１閾値補正期間Ｅ後の、水平駆動部１０６が映像信号線１０６HSの電位を信号電位Ｖinから基準電位Ｖｏに切り替え（ｔ１３V2）、駆動走査部１０５が書込駆動パルスWSをアクティブＨに切り替える（ｔ１３W2）までの期間（他行書込み期間と称する）Ｆは、他の行の画素に対する信号電位Ｖinのサンプリング期間となり、この処理対象行のサンプリングトランジスタ１２５はオフ状態にする必要がある。これで、１回目の１水平期間の処理が完結する。
【０１６３】
次の１水平周期（１Ｈ）の前半になると、水平駆動部１０６が映像信号線１０６HSの電位を信号電位Ｖinから基準電位Ｖｏに切り替え（ｔ１３V2）、駆動走査部１０５が書込駆動パルスWSをアクティブＨに切り替える（ｔ１３W2）。これにより、ドレイン電流が保持容量１２０に流れ込み、駆動トランジスタ１２１の閾値電圧Ｖthを補正（キャンセル）する第２回目の閾値補正期間（第２閾値補正期間Ｇと称する）に入る。この第２閾値補正期間Ｇは、書込駆動パルスWSがインアクティブＬにされるタイミング（ｔ１５W2）まで継続する。
【０１６４】
第２閾値補正期間Ｇでは、第１閾値補正期間Ｅと同様の動作をする。具体的には、駆動トランジスタ１２１のゲート端Ｇは映像信号Ｖsig の基準電位Ｖｏに保持されることとなり、ゲート電位が直前の“Ｖｇ＝基準電位Ｖｏ＋Ｖａ１”から基準電位Ｖｏに瞬時に切り替わる。駆動トランジスタ１２１のゲート端Ｇとソース端Ｓとの間には保持容量１２０が接続されており、その保持容量１２０による効果によって、駆動トランジスタ１２１のゲート電位Ｖｇの変動にソース電位Ｖｓが連動することで、ソース電位Ｖｓは、直前の“Ｖｏ−Ｖｘ１＋Ｖａ１”からＶａ１だけ低下するので、“Ｖｏ−Ｖｘ１”となる。
【０１６５】
この後、駆動トランジスタ１２１のソース端Ｓの電位Ｖｓが上昇して駆動トランジスタ１２１がカットオフするまでドレイン電流が流れようとする。カットオフすると駆動トランジスタ１２１のソース電位Ｖｓは“Ｖｏ−Ｖth”となる。
【０１６６】
しかしながら、第２閾値補正期間Ｇは、書込駆動パルスWSをアクティブＨにしたタイミング（ｔ１３W2）からインアクティブＬに戻すタイミング（ｔ１５W2）までであり、この期間が十分に確保されていないときには、それ以前に終了してしまうこととなる。この点は、第１閾値補正期間Ｅと同じであり、ゲート・ソース間電圧ＶgsがＶｘ２（＜Ｖｘ１、かつ＞Ｖth）になったとき、つまり、駆動トランジスタ１２１のソース電位Ｖｓが“Ｖｏ−Ｖｘ１”から“Ｖｏ−Ｖｘ２”になったときに終わってしまう。このため、第２閾値補正期間Ｇが完了した時点（ｔ１５W2）では、Ｖｘ２が保持容量１２０に書き込まれる。
【０１６７】
次に、駆動走査部１０５は、１水平期間の後半部で、他の行の画素に対する信号電位のサンプリングを行なうため、書込駆動パルスWSをインアクティブＬに切り替え（ｔ１５W2）、さらに水平駆動部１０６は、映像信号線１０６HSの電位を基準電位Ｖｏから信号電位Ｖinに切り替える（ｔ１５V2）。これにより、映像信号線１０６HSが信号電位Ｖinに変化する一方、書込走査線１０４WSの電位（書込駆動パルスWS）はローレベルになる。
【０１６８】
このときには、サンプリングトランジスタ１２５は非導通（オフ）状態にあり、それ以前に保持容量１２０に保持されたＶｘ２に応じたドレイン電流が有機ＥＬ素子１２７に流れることで、ソース電位Ｖｓが僅かに上昇する。この上昇分をＶａ２とすると、ソース電位Ｖｓは“Ｖｏ−Ｖｘ２＋Ｖａ２”となる。さらに、駆動トランジスタ１２１のゲート端Ｇとソース端Ｓとの間には保持容量１２０が接続されており、その保持容量１２０による効果によって、駆動トランジスタ１２１のソース電位Ｖｓの変動にゲート電位Ｖｇが連動することで、ゲート電位Ｖｇが“Ｖｏ＋Ｖａ２”となる。
【０１６９】
第２閾値補正期間Ｇ後の、水平駆動部１０６が映像信号線１０６HSの電位を信号電位Ｖinから基準電位Ｖｏに切り替え（ｔ１３V3）、駆動走査部１０５が書込駆動パルスWSをアクティブＨに切り替える（ｔ１３W3）までの期間（他行書込み期間と称する）Ｈは、他の行の画素に対する信号電位Ｖinのサンプリング期間となり、この処理対象行のサンプリングトランジスタ１２５はオフ状態にする必要がある。これで、２回目の１水平期間の処理が完結する。
【０１７０】
さらに、次の１水平周期（１Ｈ）の前半になると、水平駆動部１０６が映像信号線１０６HSの電位を信号電位Ｖinから基準電位Ｖｏに切り替え（ｔ１３V3）、駆動走査部１０５が書込駆動パルスWSをアクティブＨに切り替える（ｔ１３W3）。これにより、ドレイン電流が保持容量１２０に流れ込み、駆動トランジスタ１２１の閾値電圧Ｖthを補正（キャンセル）する第３回目の閾値補正期間（第３閾値補正期間Ｉと称する）に入る。この第３閾値補正期間Ｉは、書込駆動パルスWSがインアクティブＬにされるタイミング（ｔ１５W3）まで継続する。
【０１７１】
この第３閾値補正期間Ｉでは、第１閾値補正期間Ｅや第２閾値補正期間Ｇと同様の動作をする。具体的には、駆動トランジスタ１２１のゲート端Ｇは映像信号Ｖsig の基準電位Ｖｏに保持されることとなり、ゲート電位が直前の“Ｖｇ＝基準電位Ｖｏ＋Ｖａ２”から基準電位Ｖｏに瞬時に切り替わる。駆動トランジスタ１２１のゲート端Ｇとソース端Ｓとの間には保持容量１２０が接続されており、その保持容量１２０による効果によって、駆動トランジスタ１２１のゲート電位Ｖｇの変動にソース電位Ｖｓが連動することで、ソース電位Ｖｓは、直前の“Ｖｏ−Ｖｘ２＋Ｖａ２”からＶａ２だけ低下するので、“Ｖｏ−Ｖｘ２”となる。
【０１７２】
この後、駆動トランジスタ１２１のソース端Ｓの電位Ｖｓが上昇して駆動トランジスタ１２１がカットオフするまでドレイン電流が流れようとする。ゲート・ソース間電圧Ｖgsがちょうど閾値電圧Ｖthとなったところでドレイン電流がカットオフする。カットオフすると駆動トランジスタ１２１のソース電位Ｖｓは“Ｖｏ−Ｖth”となる。
【０１７３】
つまり、複数回（本例では３回）に亘る閾値補正期間での処理によって、駆動トランジスタ１２１のゲート・ソース間電圧Ｖgsは閾値電圧Ｖthという値をとる。ここで、実際には、閾値電圧Ｖthに相当する電圧が、駆動トランジスタ１２１のゲート端Ｇとソース端Ｓとの間に接続された保持容量１２０に書き込まれることになる。
【０１７４】
なお、３回に亘る閾値補正期間Ｅ，Ｇ，Ｉでは、何れもドレイン電流が専ら保持容量１２０側（Ｃｓ＜＜Ｃel時）に流れ、有機ＥＬ素子１２７側には流れないようにするため、有機ＥＬ素子１２７がカットオフ（逆バイアス）となるように共通接地配線cathの電位Ｖcathと第２電位Ｖcc_Lの関係を設定しておく。
【０１７５】
この後、水平駆動部１０６により信号線１０６HSに映像信号Ｖsig の信号電位Ｖinを実際に供給して、書込駆動パルスWSをアクティブＨにする期間を、保持容量１２０への信号電位Ｖinの書込み期間（サンプリング期間とも称する）とする。この信号電位Ｖinは駆動トランジスタ１２１の閾値電圧Ｖthに足し込む形で保持される。
【０１７６】
この結果、駆動トランジスタ１２１の閾値電圧Ｖthの変動は常にキャンセルされる形となるので、閾値補正を行なっていることになる。この閾値補正によって、保持容量１２０に保持されるゲート・ソース間電圧Ｖgsは、“Ｖsig ＋Ｖth”＝“Ｖin＋Ｖth”となる。また、同時に、このサンプリング期間で移動度補正を実行する。すなわち、第２比較例の駆動タイミングにおいて、サンプリング期間は移動度補正期間を兼ねることとなる。
【０１７７】
具体的には、先ず、書込駆動パルスWSをインアクティブＬに切り替え（ｔ１５W3）、さらに水平駆動部１０６は、映像信号線１０６HSの電位を基準電位Ｖｏから信号電位Ｖinに切り替える（ｔ１５V3）ことで、最後（本例では３回目）の閾値補正期間を完了させる。これにより、サンプリングトランジスタ１２５が非導通（オフ）状態とされ、次のサンプリング動作および移動度補正動作の準備が完了する。次に書込駆動パルスWSをアクティブＨにするタイミング（ｔ１６_1）まで期間を書込み＆移動度補正準備期間Ｊと称する。
【０１７８】
次に、電源供給線１０５DSL の電位を第１電位Ｖcc_Hにし、かつ、映像信号線１０６HSの電位を信号電位Ｖinに保持したままで、書込走査部１０４は、書込駆動パルスWSをアクティブＨに切り替え（ｔ１６_1）、水平駆動部１０６が映像信号線１０６HSの電位を信号電位Ｖinから基準電位Ｖｏに切り替えるタイミング（ｔ１８_1）までの間での適当なタイミングで、つまり、映像信号線１０６HSが信号電位Ｖinにある時間帯での適当なとき、インアクティブＬに切り替える（ｔ１７_1）。この書込駆動パルスWSがアクティブＨにある期間（ｔ１６_1〜ｔ１７_1）を、サンプリング期間＆移動度補正期間Ｋと称する。
【０１７９】
これにより、サンプリングトランジスタ１２５が導通（オン）状態となり、駆動トランジスタ１２１のゲート電位Ｖｇは信号電位Ｖinとなる。したがって、サンプリング期間＆移動度補正期間Ｋでは、駆動トランジスタ１２１のゲート端Ｇが映像信号Ｖsig の信号電位Ｖinに固定された状態で、駆動トランジスタ１２１に駆動電流Ｉdsが流れる。
【０１８０】
ここで、有機ＥＬ素子１２７の閾値電圧をＶthELとしたとき、“Ｖｏ−Ｖth＜ＶthEL”と設定しておくことで、有機ＥＬ素子１２７は、逆バイアス状態におかれ、カットオフ状態（ハイインピーダンス状態）にあるため、発光することはなく、また、ダイオード特性ではなく単純な容量特性を示すようになる。よって駆動トランジスタ１２１に流れるドレイン電流（駆動電流Ｉds）は保持容量１２０の容量値Ｃｓと有機ＥＬ素子１２７の寄生容量（等価容量）Ｃelの容量値Ｃelの両者を結合した容量“Ｃ＝Ｃｓ＋Ｃel”に書き込まれていく。これにより、駆動トランジスタ１２１のドレイン電流は有機ＥＬ素子１２７の寄生容量Ｃelに流れ込み充電を開始する。その結果、駆動トランジスタ１２１のソース電位Ｖｓは上昇していく。
【０１８１】
図４のタイミングチャートでは、この上昇分をΔＶで表してある。この上昇分、すなわち移動度補正パラメータである負帰還量ΔＶは、閾値補正によって保持容量１２０に保持されるゲート・ソース間電圧“Ｖgs＝Ｖin＋Ｖth”から差し引かれることになり、“Ｖgs＝Ｖin−ΔＶ＋Ｖth”となるので、負帰還をかけたことになる。このとき、駆動トランジスタ１２１のソース電位Ｖｓは、ゲート電位Ｖｇ（＝Ｖin）から保持容量に保持される電圧“Ｖgs＝Ｖin−ΔＶ＋Ｖth”を差し引いた値“−Ｖth＋ΔＶ”となる。
【０１８２】
このようにして、第２比較例の駆動タイミングでは、サンプリング期間＆移動度補正期間Ｋ（ｔ１６〜ｔ１７）において、映像信号Ｖsig における信号電位Ｖinのサンプリングと移動度μを補正する負帰還量（移動度補正パラメータ）ΔＶの調整が行なわれる。書込走査部１０４は、サンプリング期間＆移動度補正期間Ｋの時間幅を調整可能であり、これにより保持容量１２０に対する駆動電流Ｉdsの負帰還量を最適化することができる。
【０１８３】
ここで「負帰還量を最適化する」とは、映像信号電位の黒レベルから白レベルまでの範囲で、どのレベルにおいても適切に移動度補正を行なうことができるようにすることを意味する。ゲート・ソース間電圧Ｖgsにかける負帰還量は、ドレイン電流Ｉdsの取り出し時間すなわちサンプリング期間＆移動度補正期間Ｋに依存しており、この期間を長くとるほど、負帰還量が大きくなる。負帰還量ΔＶはΔＶ＝Ｉds・Ｃel／ｔである。
【０１８４】
この式から明らかなように、駆動トランジスタ１２１のドレイン・ソース間電流である駆動電流Ｉdsが大きいほど、負帰還量ΔＶは大きくなる。逆に、駆動トランジスタ１２１の駆動電流Ｉdsが小さいとき、負帰還量ΔＶは小さくなる。このように、負帰還量ΔＶは駆動電流Ｉdsに応じて決まる。
【０１８５】
また、信号電位Ｖinが大きいほど駆動電流Ｉdsは大きくなり、負帰還量ΔＶの絶対値も大きくなる。したがって、発光輝度レベルに応じた移動度補正を実現できる。その際、サンプリング期間＆移動度補正期間Ｋは必ずしも一定である必要はなく、逆に駆動電流Ｉdsに応じて調整することが好ましい場合がある。たとえば、駆動電流Ｉdsが大きい場合、移動度補正期間ｔは短めにし、逆に駆動電流Ｉdsが小さくなると、サンプリング期間＆移動度補正期間Ｋは長めに設定するのがよい。
【０１８６】
また、負帰還量ΔＶは、Ｉds・Ｃel／ｔであり、画素回路Ｐごとに移動度μのばらつきに起因して駆動電流Ｉdsがばらつく場合でも、それぞれに応じた負帰還量ΔＶとなるので、画素回路Ｐごとの移動度μのばらつきを補正することができる。つまり、信号電位Ｖinを一定とした場合、駆動トランジスタ１２１の移動度μが大きいほど負帰還量ΔＶの絶対値が大きくなる。換言すると、移動度μが大きいほど負帰還量ΔＶが大きくなるので、画素回路Ｐごとの移動度μのばらつきを取り除くことができる。
【０１８７】
このようにして、第２比較例の駆動タイミングでは、サンプリング期間＆移動度補正期間Ｋにて、信号電位Ｖinのサンプリングと移動度μのばらつきを補正するための負帰還量ΔＶの調整が同時に行なわれる。もちろん、負帰還量ΔＶはサンプリング期間＆移動度補正期間Ｋの時間幅を調整することで最適化可能である。
【０１８８】
次に、書込走査部１０４は、映像信号線１０６HSの電位が信号電位Ｖinにある状態で、書込駆動パルスWSをインアクティブＬに切り替える（ｔ１７_1）。これにより、サンプリングトランジスタ１２５が非導通（オフ）状態となり発光期間Ｌに進む。水平駆動部１０６は、その後の適当な時点で映像信号線１０６HSへの映像信号Ｖsig の信号電位Ｖinの供給を停止して基準電位Ｖｏに戻す（ｔ１８_1）。この後、次のフレーム（もしくはフィールド）に移って、再び、閾値補正準備動作、閾値補正動作、移動度補正動作、および発光動作が繰り返される。
【０１８９】
この結果、駆動トランジスタ１２１のゲート端Ｇは映像信号線１０６HSから切り離される。駆動トランジスタ１２１のゲート端Ｇへの信号電位Ｖinの印加が解除されるので、駆動トランジスタ１２１のゲート電位Ｖｇは上昇可能となる。
【０１９０】
このとき、駆動トランジスタ１２１に流れる駆動電流Ｉdsは有機ＥＬ素子１２７に流れ、有機ＥＬ素子１２７のアノード電位は駆動電流Ｉdsに応じて上昇する。この上昇分をＶelとする。やがて、ソース電位Ｖｓの上昇に伴い、有機ＥＬ素子１２７の逆バイアス状態は解消されるので、駆動電流Ｉdsの流入により有機ＥＬ素子１２７は実際に発光を開始する。このときの有機ＥＬ素子１２７のアノード電位の上昇（Ｖel）は、駆動トランジスタ１２１のソース電位Ｖｓの上昇に他ならず、駆動トランジスタ１２１のソース電位Ｖｓは、“−Ｖth＋ΔＶ＋Ｖel”となる。
【０１９１】
駆動電流Ｉds対ゲート電圧Ｖgsの関係は、先のトランジスタ特性を表した式（１）のＶgsに“Ｖin−ΔＶ＋Ｖth”を代入することで、式（２）のように表すことができる。式（２）において、ｋ＝（１／２）（Ｗ／Ｌ）Ｃoxである。
【０１９２】
【数２】
2008185874.tif 000004
【０１９３】
この式（２）から、閾値電圧Ｖthの項がキャンセルされており、有機ＥＬ素子１２７に供給される駆動電流Ｉdsは駆動トランジスタ１２１の閾値電圧Ｖthに依存しないことが分かる。基本的に駆動電流Ｉdsは映像信号Ｖsig の信号電位Ｖinによって決まる。換言すると、有機ＥＬ素子１２７は信号電位Ｖinに応じた輝度で発光することになる。
【０１９４】
その際、信号電位Ｖinは帰還量ΔＶで補正されている。この補正量ΔＶはちょうど式（２）の係数部に位置する移動度μの効果を打ち消すように働く。したがって、駆動電流Ｉdsは実質的に信号電位Ｖinのみに依存することになる。駆動電流Ｉdsは閾値電圧Ｖthに依存しないので、閾値電圧Ｖthが製造プロセスにより変動しても、ドレイン・ソース間の駆動電流Ｉdsは変動せず、有機ＥＬ素子１２７の発光輝度も変動しない。
【０１９５】
また、駆動トランジスタ１２１のゲート端Ｇとソース端Ｓとの間には保持容量１２０が接続されており、その保持容量１２０による効果により、発光期間の最初でブートストラップ動作が行なわれ、駆動トランジスタ１２１のゲート・ソース間電圧“Ｖgs＝Ｖin−ΔＶ＋Ｖth”を一定に維持したまま、駆動トランジスタ１２１のゲート電位Ｖｇおよびソース電位Ｖｓが上昇する。駆動トランジスタ１２１のソース電位Ｖｓが“−Ｖth＋ΔＶ＋Ｖel”となることで、ゲート電位Ｖｇは“Ｖin＋Ｖel”となる。
【０１９６】
このとき、駆動トランジスタ１２１のゲート・ソース間電圧Ｖgsは一定であるので、駆動トランジスタ１２１は、一定電流（駆動電流Ｉds）を有機ＥＬ素子１２７に流す。その結果、電圧降下が生じ、有機ＥＬ素子１２７のアノード端Ａの電位Ｖel（＝ノードＮＤ１２１の電位）は、有機ＥＬ素子１２７に飽和状態での駆動電流Ｉdsという電流が流れ得る電圧まで上昇する。
【０１９７】
ここで、有機ＥＬ素子１２７は、発光時間が長くなるとそのＩ−Ｖ特性が変化してしまう。そのため、時間の経過とともに、ノードＮＤ１２１の電位も変化する。しかしながら、このような有機ＥＬ素子１２７の経時劣化によりそのアノード電位が変動しても、保持容量１２０に保持されたゲート・ソース間電圧Ｖgsは常に“Ｖin−ΔＶ＋Ｖth”で一定に維持される。
【０１９８】
駆動トランジスタ１２１が定電流源として動作することから、有機ＥＬ素子１２７のＩ−Ｖ特性が経時変化し、これに伴って駆動トランジスタ１２１のソース電位Ｖｓが変化したとしても、保持容量１２０によって駆動トランジスタ１２１のゲート・ソース間電位Ｖgsが一定（≒Ｖin−ΔＶ＋Ｖth）に保たれているため、有機ＥＬ素子１２７に流れる電流は変わらず、したがって有機ＥＬ素子１２７の発光輝度も一定に保たれる。
【０１９９】
このような、有機ＥＬ素子１２７の特性変動に拘らず、駆動トランジスタ１２１のゲート・ソース間電圧を一定に維持し輝度を一定に維持する補正のための動作（保持容量１２０の効果による動作）をブートストラップ動作と呼ぶ。このブートストラップ動作により、有機ＥＬ素子１２７のＩ−Ｖ特性が経時的に変化しても、それに伴う輝度劣化のない画像表示が可能になる。
【０２００】
つまり、第２比較例の画素回路Ｐとそれを駆動する第２比較例の駆動タイミングでは、電気光学素子の一例である有機ＥＬ素子１２７の電流−電圧特性の変化を補正して駆動電流を一定に維持する駆動信号一定化回路の一例であるブートストラップ回路が構成され、ブートストラップ動作が機能するようになっているのである。よって、有機ＥＬ素子１２７のＩ−Ｖ特性が劣化しても一定電流Ｉdsが常に流れ続けるため、有機ＥＬ素子１２７は画素信号Ｖsig に応じた輝度で発光を続けることになり輝度が変化することはない。
【０２０１】
また、第２比較例の画素回路Ｐとそれを駆動する第２比較例の駆動タイミングでは、駆動トランジスタ１２１の閾値電圧Ｖthを補正して駆動電流を一定に維持する駆動信号一定化回路の一例である閾値補正回路が構成され閾値補正動作が機能するようになっている。駆動トランジスタ１２１の閾値電圧Ｖthを反映させたゲート・ソース間電位Ｖgsとして、当該閾値電圧Ｖthのばらつきの影響を受けない一定電流Ｉdsを流すことができる。
【０２０２】
特に、図４に示した第２比較例の駆動タイミングでは、１回の閾値補正動作の処理サイクルを１水平期間とし、複数回に亘って閾値補正動作を繰り返すようにしており、確実に閾値電圧Ｖthを保持容量１２０に保持させるようにしている。このため、閾値電圧Ｖthの画素間差が確実に除去され、階調に拘らず、閾値電圧Ｖthのばらつきに起因する輝度ムラを抑制できる。
【０２０３】
これに対して、閾値補正動作を１回にするなど閾値電圧Ｖthの補正が不十分な場合は、つまり閾値電圧Ｖthが保持容量１２０に保持されていない場合には、異なる画素回路Ｐの間で、低階調の領域では輝度（駆動電流Ｉds）に差が出てしまう。よって閾値電圧の補正が不十分な場合は、低階調で輝度のムラが現れ画質を損なうことになる。
【０２０４】
加えて、第２比較例の駆動タイミングでは、サンプリングトランジスタ１２５による信号電位Ｖinの保持容量１２０への書込み動作と連動して駆動トランジスタ１２１の移動度μを補正して駆動電流を一定に維持する駆動信号一定化回路の一例である移動度補正回路が構成され移動度補正動作が機能するようになっている。駆動トランジスタ１２１のキャリア移動度μを反映させたゲート・ソース間電位Ｖgsとして、当該キャリア移動度μのばらつきの影響を受けない一定電流Ｉdsを流すことができる。
【０２０５】
つまり、第２比較例の画素回路Ｐは、駆動タイミングを工夫することで、閾値補正回路や移動度補正回路が自動的に構成され、駆動トランジスタ１２１の特性ばらつき（本例では閾値電圧Ｖthおよびキャリア移動度μのばらつき）による駆動電流Ｉdsに与える影響を防ぐために、閾値電圧Ｖthおよびキャリア移動度μによる影響を補正して駆動電流を一定に維持する駆動信号一定化回路として機能するようになっているのである。
【０２０６】
ブートストラップ動作だけでなく、閾値補正動作と移動度補正動作とを実行しているため、ブートストラップ動作で維持されるゲート・ソース間電圧Ｖgsは、閾値電圧Ｖthに相当する電圧と移動度補正用の電圧ΔＶとによって調整されているため、有機ＥＬ素子１２７の発光輝度は駆動トランジスタ１２１の閾値電圧Ｖthや移動度μのばらつきの影響を受けることがないし、有機ＥＬ素子１２７の経時劣化の影響も受けない。入力される信号電位Ｖinに対応する安定した階調で表示でき、高画質の画像を得ることができる。
【０２０７】
また、第２比較例の画素回路Ｐは、ｎチャネル型の駆動トランジスタ１２１を用いたソースフォロア回路によって構成することができるために、現状のアノード・カソード電極の有機ＥＬ素子をそのまま用いても、有機ＥＬ素子１２７の駆動が可能になる。
【０２０８】
また、駆動トランジスタ１２１およびその周辺部のサンプリングトランジスタ１２５をも含めてｎチャネル型のみのトランジスタを用いて画素回路Ｐを構成することができ、ＴＦＴ作成においてもアモルファスシリコン（ａ−Ｓｉ）プロセスを用いることができるようになるため、ＴＦＴ基板の低コスト化が図れることになる。
【０２０９】
＜書込みゲインとブートストラップゲインの関係＞
図５は、保持容量１２０への信号電位Ｖinに対応する情報の書込み動作時の書込みゲインと、信号書込み後のブートストラップ動作時のブートストラップゲインと、駆動トランジスタ１２１のゲート端Ｇに生じる寄生容量との関係を説明する図である。
【０２１０】
ここでは、一例として、駆動トランジスタ１２１のゲート端Ｇには、寄生容量として、駆動トランジスタ１２１のゲート端Ｇとソース端Ｓとの間に形成される寄生容量Ｃ１２５gs（容量値をＣgsとする）と、駆動トランジスタ１２１のゲート端Ｇとドレイン端Ｄとの間に形成される寄生容量Ｃ１２５gd（容量値をＣgdとする）と、サンプリングトランジスタ１２５の拡散容量としてのゲート端Ｇとソース端Ｓ（ソース端Ｓを映像信号線１０６HS側とする場合はドレイン端Ｄ）との間に形成される寄生容量Ｃ１２５gs（容量値をＣwsとする）とが存在するものとして示している。
【０２１１】
ブートストラップ動作が機能する発光期間Ｂ，Ｌでは、駆動トランジスタ１２１のゲート端Ｇとソース端Ｓとの間に保持容量１２０が接続されているので、ソース電位Ｖｓの上昇時に、カップリング電圧がゲート端Ｇに加わる。ソース電位Ｖｓの上昇に対するゲート電位Ｖｇへのカップリング上昇が１００％に近いほど、有機ＥＬ素子１２７の特性変化（劣化を含む）に伴う駆動電圧上昇時の輝度落ちが抑制される。
【０２１２】
このソース電位Ｖｓの上昇に対するゲート電位Ｖｇの上昇率をブートストラップゲイン（ブートストラップ動作能力）Ｇbst0と称する。ブートストラップゲインＧbst0は、保持容量１２０の容量値Ｃｓ、駆動トランジスタ１２１のゲート端Ｇに形成される寄生容量Ｃ１２１gsの容量値Ｃgs、寄生容量Ｃ１２１gdの容量値Ｃgd、および寄生容量Ｃ１２５gsの容量値Ｃwsを用いて、式（３）のように表すことができる。
【０２１３】
【数３】
2008185874.tif 000005
【０２１４】
したがって、ブートストラップゲインＧbst0は、寄生容量Ｃ１２１gdの容量値Ｃgdや寄生容量Ｃ１２５gsの容量値Ｃwsが保持容量１２０の容量値Ｃｓに対して十分に小さければ、換言すれば、駆動トランジスタ１２１のゲート端Ｇとソース端Ｓの間に付加される容量値（ここでは容量値Ｃｓ）が大きいほど限りなく“１”に近いことになり、有機ＥＬ素子１２７の電流電圧特性の経時変動に対する駆動電流Ｉdsの補正能力が高い。
【０２１５】
つまり、画素回路の簡素化を図りつつ、素子の特性ばらつきによる輝度変化を抑制する閾値補正動作や移動度補正動作を実現する方式の開発に当たり、駆動トランジスタ１２１のゲート端Ｇに接続される保持容量１２０以外の素子数を最小限のサンプリングトランジスタ１２５のみに留めた画素回路Ｐとすることで、駆動トランジスタ１２１のゲート端Ｇに寄生する容量を限りなく小さくでき、このことはブートストラップ動作の補助となり、有機ＥＬ素子１２７の電流電圧特性の経時変動に対する駆動電流Ｉdsの補正能力を向上させることが可能となる。
【０２１６】
一方、サンプリング期間＆移動度補正期間Ｋにおける信号書込み動作時には、信号電位Ｖinに対応する情報を如何に大きく保持容量１２０に書き込むかが肝要となる。信号電位Ｖinに対応する保持容量１２０に書き込まれる情報の大きさの割合を、書込みゲインＧinput0と称する。
【０２１７】
たとえば、図４に示した駆動タイミングでは、サンプリング期間＆移動度補正期間Ｋにて、電源駆動パルスDSL が第１電位Ｖcc_Hの状態で信号書込み（サンプリング）が行なわれるために、書込み動作が開始し、駆動トランジスタ１２１のゲート電位Ｖｇが上昇した瞬間、ドレイン・ソース間に駆動電流Ｉdsが流れ、この駆動電流Ｉdsが有機ＥＬ素子１２７の寄生容量Ｃelを充電することでソース電位Ｖｓが上昇する。
【０２１８】
このため、サンプリング期間＆移動度補正期間Ｋが長いほどソース電位Ｖｓの上場度合いが大きくなり、発光時の駆動トランジスタ１２１のゲート・ソース電圧Ｖgsが小さくなり輝度が取れなくなる。
【０２１９】
そこで、サンプリング期間＆移動度補正期間Ｋを一般的な書込み期間よりも短くする必要がある。輝度が最も取れるのは、駆動トランジスタ１２１のゲート電位Ｖｇの上昇カーブとソース電位Ｖｓの上昇カーブの傾きが一致した点であり、そのポイントで書込み動作を終了する必要がある。
【０２２０】
映像信号Ｖsig の信号電位Ｖinに対して効率よく輝度を取るためには、書込み時に駆動トランジスタ１２１のゲート電位Ｖｇの上昇とともに駆動電流Ｉdsが流れてソース電位Ｖｓが上昇しない条件下、すなわち書込み時に駆動トランジスタ１２１のソース電位Ｖｓが低い状況での、映像信号Ｖsig （特に信号電位Ｖin）に対する容量値Ｃｓの保持容量１２０に保持される電圧割合（書込みゲインＧinput ）をなるべく高くする必要がある。
【０２２１】
このような条件下における書込みゲインＧinput0は、保持容量１２０の容量値Ｃｓ、駆動トランジスタ１２１のゲート端Ｇに形成される寄生容量Ｃ１２１gsの容量値Ｃgs、および有機ＥＬ素子１２７の寄生容量Ｃelを用いて、式（４）のように表すことができる。
【０２２２】
【数４】
2008185874.tif 000006
【０２２３】
寄生容量Ｃ１２１gsの容量値Ｃgsは、保持容量１２０の容量値Ｃｓや有機ＥＬ素子１２７の寄生容量Ｃelに比べると小さいと考えてよく、したがって、書込みゲインＧinput0は、保持容量１２０の容量値Ｃｓに対して有機ＥＬ素子１２７の寄生容量Ｃelが十分に大きければ、換言すれば、駆動トランジスタ１２１のゲート端Ｇとソース端Ｓの間に付加される容量値（ここでは保持容量１２０の容量値Ｃｓ）を小さくするか、もしくは、駆動トランジスタ１２１のソース端Ｓ（つまり有機ＥＬ素子１２７のアノード端Ａ）と接地配線Ｖcath（つまり有機ＥＬ素子１２７のカソード端Ｋ）の間に付加される容量値（ここでは有機ＥＬ素子１２７の寄生容量Ｃel）を大きくすると、限りなく“１”に近いことになり、より信号電位Ｖinの大きさに近い電圧情報を保持容量１２０に書き込むことができる。
【０２２４】
ここで、ブートストラップゲインＧbst0と書込みゲインＧinput0との関係を考える。たとえば、ブートストラップゲインＧbst0を大きく取ることを考え、保持容量１２０の容量値Ｃｓをレイアウト上大きく取ると、有機ＥＬ素子１２７の寄生容量Ｃelに対して保持容量１２０の容量値Ｃｓが大きくなり、書込みゲインＧinput0が小さくなってしまう。書込みゲインＧinput0が小さくなると、保持容量１２０に大きな情報を書き込むには信号電位Ｖinのダイナミックレンジを大きく取らなければならなく、消費電力増大に繋がる。
【０２２５】
逆に、書込みゲインＧinput0を大きく取るために保持容量１２０の容量値Ｃｓを小さくすると、寄生容量Ｃ１２１gdの容量値Ｃgdや寄生容量Ｃ１２５gsの容量値Ｃwsに対して保持容量１２０の容量値Ｃｓが小さくなり、ブートストラップゲインＧbst0が小さくなってしまい、有機ＥＬ素子１２７の特性変動に対する補正効果が低下し、特性劣化時の輝度落ちが顕著になる。
【０２２６】
このように、図２に示した第２比較例の画素回路Ｐとそれを駆動する図４に示した駆動タイミングでは、書込みゲインＧinputとブートストラップゲインＧbst0とはトレードオフの関係にあり、何れか一方を大きくしようとすると他方が小さくなってしまい、他方に対して悪影響を与えることなく（他方を小さくせずに）、一方を大きくするということができない。
【０２２７】
片方のゲインを重視すれば、その分だけもう片方のゲインが疎かにならざるを得ないことはもちろんのこととして、どちらも高いゲインを得ることは不可能である。このため、実際の所は、競合関係となる書込みゲインＧinput とブートストラップゲインＧbst の間で折り合いを付け、各ゲインが適度なものとなるように、保持容量１２０の容量値Ｃｓと有機ＥＬ素子１２７の寄生容量Ｃelの容量値Ｃelを決定している。
【０２２８】
＜画素回路：本実施形態の基本構成＞
図６は、書込みゲインとブートストラップゲインの関係において、他方に対して悪影響を与えることなく（他方を小さくせずに）、一方を大きくすることを可能にする本実施形態の基本構成の画素回路Ｐと、当該画素回路Ｐを備えた有機ＥＬ表示装置の一実施形態を示す図である。本実施形態の基本構成の画素回路Ｐを画素アレイ部１０２に備える有機ＥＬ表示装置１を本実施形態の基本構成の有機ＥＬ表示装置１と称する。
【０２２９】
先ず、本実施形態の基本構成の有機ＥＬ表示装置１は、図２に示した第２比較例の画素回路Ｐと同様の機能要素を持つ複数の画素回路Ｐを行列状に配置した画素アレイ部１０２を備え、たとえば、有機ＥＬ素子１２７の経時劣化による駆動電流変動を防ぐ回路（ブートストラップ回路）を搭載し、また駆動トランジスタ１２１の特性変動（閾値電圧ばらつきや移動度ばらつき）による駆動電流変動を防ぐ駆動方式を採用する点に特徴を有する。そのため、駆動タイミングとしては、基本的には図４に示した第２比較例と同じものが適用される。
【０２３０】
加えて、本実施形態の有機ＥＬ表示装置１においては、画素回路Ｐごとに、ノードＮＤ１２１（駆動トランジスタ１２１のソース端Ｓおよび保持容量１２０の一方の端子と有機ＥＬ素子１２７のアノード端Ａの接続点）に容量値Ｃadd の容量素子３１０を追加し、容量素子３１０の他方の端子（ノードＮＤ１２３と称する）の接続箇所をスイッチトランジスタで切り替える構成とした点に特徴を有する。
【０２３１】
たとえば、図６では、ゲイン切替制御用に２つのスイッチトランジスタ３１２，３１４を使用し、容量素子３１０のノード１２１とは反対側のノードＮＤ１２３に、切替え用のスイッチトランジスタ３１２，３１４を接続している。
【０２３２】
第１スイッチトランジスタ３１２は、容量素子３１０の接続箇所を制御する機能を有し、書込みゲインＧinput を大きくするために、オン時に、有機ＥＬ素子１２７に形成される寄生容量Ｃelに対して容量素子３１０を並列接続するように機能する。このため、第１スイッチトランジスタ３１２のドレイン端ＤをノードＮＤ１２３に接続し、ソース端Ｓを有機ＥＬ素子１２７のカソード端Ｋ（つまり接地配線Ｖcath）に接続する。第１スイッチトランジスタ３１２のゲート端Ｇには、ゲイン変更走査線１１６SEL1を介してゲイン変更走査部１１６からのアクティブＨの第１ゲイン変更パルスSEL1を供給する。なお、第１スイッチトランジスタ３１２は、ソース端Ｓとドレイン端Ｄとを逆転させた接続態様とすることもできる。
【０２３３】
一方、第２スイッチトランジスタ３１４は、容量素子３１０の接続箇所を制御する機能を有し、ブートストラップゲインＧbst を大きくするために、オン時に、保持容量１２０に対して容量素子３１０を並列接続するように機能する。このため、第２スイッチトランジスタ３１４のドレイン端ＤをノードＮＤ１２２に接続し、ソース端ＳをノードＮＤ１２３に接続する。第２スイッチトランジスタ３１４のゲート端Ｇには、ゲイン変更走査線１１６SEL2を介してゲイン変更走査部１１６からのアクティブＨの第２ゲイン変更パルスSEL2を供給する。なお、第２スイッチトランジスタ３１４は、ソース端Ｓとドレイン端Ｄとを逆転させた接続態様とすることもできる。
【０２３４】
＜タイミングチャート；本実施形態＞
図７は、図６に示した本実施形態の基本構成の画素回路Ｐに関する駆動タイミングの一例として、線順次方式で信号電位Ｖinの情報を保持容量１２０に書き込む際の動作を説明するタイミングチャートである。
【０２３５】
図７においては、時間軸を共通にして、書込走査線１０４WSの電位変化、電源供給線１０５DSL の電位変化、映像信号線１０６HSの電位変化、および２つのゲイン変更走査線１１６SEL1，１１６SEL2の電位変化を表してある。
【０２３６】
なお、ここでは、１水平期間を処理サイクルとして、閾値補正動作を２回に亘って繰り返すようにしているが、この繰り返し動作は必須ではなく、１水平期間を処理サイクルとして、図４と同様に３回の繰り返し動作としてもよいし、１回のみの閾値補正動作を実行するようにしてもよい。
【０２３７】
新たに設けたスイッチトランジスタ３１２，３１４に対する駆動を追加している点を除いて、先にも述べたが、基本的な駆動動作は前述の図４に示した駆動タイミングと同じである。以下、スイッチトランジスタ３１２，３１４に対する駆動に着目して具体的に説明する。
【０２３８】
本実施形態の駆動タイミングとしては、書込みゲインＧinput が問題となるサンプリング期間（本例ではサンプリング期間＆移動度補正期間Ｋ；以下同様）とブートストラップゲインＧbst が問題となる発光期間Ｂ，Ｌとではタイミングが異なることに着目し、それぞれの高ゲイン化が要求されるタイミング（サンプリング期間＆移動度補正期間Ｋもしくは発光期間Ｂ，Ｌ）に合わせて、スイッチトランジスタ３１２，３１４の何れか一方のみをオンさせることで、容量素子３１０の容量値Ｃadd の分だけ、保持容量１２０もしくは有機ＥＬ素子１２７に併設される容量（本例では寄生容量Ｃel）の容量値を大きくする点に特徴を有する。
【０２３９】
先ず、当該行の処理前の発光期間Ｂでは、ゲイン変更走査部１１６は、ブートストラップ動作をより高ゲインで機能させるべく、第１スイッチトランジスタ３１２のゲート端Ｇに供給する第１ゲイン変更パルスSEL1をインアクティブＬにして第１スイッチトランジスタ３１２をオフさせるとともに、第２スイッチトランジスタ３１４のゲート端Ｇに供給する第２ゲイン変更パルスSEL2をアクティブＨにして第２スイッチトランジスタ３１４をオンさせることで、保持容量１２０に対して容量素子３１０を並列接続（図では“１２０//３１０”で示す）する（ｔ１０ｂ以前）。
【０２４０】
これにより、駆動トランジスタ１２１のゲート端Ｇとソース端Ｓの間に付加される容量値が保持容量１２０の容量値Ｃｓと容量素子３１０の容量値Ｃadd の合成分（Ｃｓ＋Ｃadd ）となる。保持容量１２０の容量値Ｃｓよりも容量値が大きくなるので、式（３）およびその説明から推測されるように、ブートストラップゲインＧbst0が大きくなり、有機ＥＬ素子１２７の電流電圧特性の経時変動に対する駆動電流Ｉdsの補正能力が高くなることが期待される。
【０２４１】
この後、線順次走査の新しいフィールドに入って、電源供給線１０５DSL に与える電源駆動パルスDSL を高低電位側の第１電位Ｖcc_Hから低電位側の第２電位Ｖcc_Lに切り替えるタイミング（ｔ１１）に合わせて、ゲイン変更走査部１１６は、第２ゲイン変更パルスSEL2をインアクティブＬに切り替える（ｔ１０ｂ）。このタイミング（ｔ１０ｂ）は、概ねタイミング（ｔ１１）の近傍であればよく、少なくとも、サンプリング期間＆移動度補正期間Ｋの近傍で第１ゲイン変更パルスSEL1をアクティブＨにする前にインアクティブＬにしておけばよい。
【０２４２】
サンプリング期間＆移動度補正期間Ｋの近傍になると、ゲイン変更走査部１１６は、保持容量１２０への信号電位Ｖinの書込み動作をより高ゲインで機能させるべく、第２スイッチトランジスタ３１４のゲート端Ｇに供給する第２ゲイン変更パルスSEL2をインアクティブＬに維持したまま、第１スイッチトランジスタ３１２のゲート端Ｇに供給する第１ゲイン変更パルスSEL1をインアクティブＬからアクティブＨに切り替えて第１スイッチトランジスタ３１２をオンさせることで、有機ＥＬ素子１２７の寄生容量Ｃelに対して容量素子３１０を並列接続（図では“Ｃel//３１０”で示す）する（ｔ１５ａ）。このタイミング（ｔ１５ａ）は、概ねタイミング（ｔ１６）の近傍（好ましくはそれ以前）であればよく、ここでは、概ね書込み＆移動度補正準備期間Ｊの開始時点（ｔ１５Ｖ２）に合わせている。
【０２４３】
これにより、駆動トランジスタ１２１のソース端Ｓ（つまり有機ＥＬ素子１２７のアノード端Ａ）と接地配線Ｖcath（つまり有機ＥＬ素子１２７のカソード端Ｋ）の間に付加される容量値が有機ＥＬ素子１２７の寄生容量Ｃelと容量素子３１０の容量値Ｃadd の合成分（Ｃel＋Ｃadd ）となる。有機ＥＬ素子１２７の寄生容量Ｃelの容量値Ｃelよりも容量値が大きくなるので、式（４）およびその説明から推測されるように、書込みゲインＧinput0が大きくなり、信号電位Ｖinの大きさに近い電圧情報を保持容量１２０に書き込めることが期待される。
【０２４４】
サンプリング期間＆移動度補正期間Ｋの完了後の発光期間Ｌに入ると、ゲイン変更走査部１１６は、ブートストラップ動作をより高ゲインで機能させるべく、第１スイッチトランジスタ３１２のゲート端Ｇに供給する第１ゲイン変更パルスSEL1をアクティブＨからインアクティブＬに切り替えて第１スイッチトランジスタ３１２をオフさせるとともに（ｔ１９ａ）、第２スイッチトランジスタ３１４のゲート端Ｇに供給する第２ゲイン変更パルスSEL2をアクティブＨにして第２スイッチトランジスタ３１４をオンさせることで、保持容量１２０に対して容量素子３１０を並列接続（図では“１２０//３１０”で示す）する（ｔ１９ｂ）。これらのタイミング（ｔ１９ａ，ｔ１９ｂ）は、概ねタイミング（ｔ１８）の近傍であればよく、少なくともスイッチトランジスタ３１２，３１４がともにオンすることがないように、タイミングｔ１９ａの方がタイミングｔ１９ｂよりも前であるようにする。
【０２４５】
これにより、駆動トランジスタ１２１のゲート端Ｇとソース端Ｓの間に付加される容量値が保持容量１２０の容量値Ｃｓと容量素子３１０の容量値Ｃadd の合成分（Ｃｓ＋Ｃadd ）となる。これにより、発光期間Ｂと同様に、保持容量１２０の容量値Ｃｓよりも容量値が大きくなるので、式（３）およびその説明から推測されるように、ブートストラップゲインＧbst0が大きくなり、有機ＥＬ素子１２７の電流電圧特性の経時変動に対する駆動電流Ｉdsの補正能力が高くなることが期待される。
【０２４６】
＜書込みゲインおよびブートストラップゲイン変更の効果＞
図８は、容量素子３１０の追加とその接続箇所をスイッチトランジスタ３１２，３１４で切り替えることによる書込みゲインＧinput およびブートストラップゲインＧbst を駆動タイミングに合わせて変更することによる効果を説明する図である。
【０２４７】
図８（Ａ）は、図７に示したタイミングチャートのサンプリング期間＆移動度補正期間Ｋにおける画素回路Ｐの等価回路と動作状態を示している。図７でも説明したように、第２スイッチトランジスタ３１４をオフさせるとともに第１スイッチトランジスタ３１２をオンさせて、有機ＥＬ素子１２７の寄生容量Ｃelに対して容量素子３１０を並列接続することで、有機ＥＬ素子１２７のアノード端Ａとカソード端Ｋの間に付加される容量値を、有機ＥＬ素子１２７の寄生容量Ｃelと容量素子３１０の容量値Ｃadd の合成分（Ｃel＋Ｃadd ）にする。
【０２４８】
本実施形態を適用しない比較例２の画素回路Ｐの場合は、信号電位Ｖinに対する、実際に保持される電圧割合（書込みゲインＧinput0）は前述の式（４）で表されるのに対して、本実施形態を適用することで、書込みゲインＧinput1は式（５）のように変更される。
【０２４９】
【数５】
2008185874.tif 000007
【０２５０】
書込みゲインＧinput1は書込みゲインＧinput0よりも大きくなるので、 第２比較例の画素回路Ｐよりも、信号電位Ｖinの大きさにより近い電圧情報を保持容量１２０に書き込むことができる。これにより、第２比較例の画素回路Ｐよりも低い信号振幅で所望の輝度を出すことができ、信号振幅の低減が実現され、低消費電力化に寄与する。
【０２５１】
一方、図８（Ｂ）は、図７に示したタイミングチャートの発光期間Ｂ，Ｌにおける画素回路Ｐの等価回路と動作状態を示している。 図７でも説明したように、信号電位Ｖinの保持容量１２０への書込み動作後には、第１スイッチトランジスタ３１２をオフさせるとともに第２スイッチトランジスタ３１４をオンさせて、保持容量１２０に対して容量素子３１０を並列接続することで、駆動トランジスタ１２１のゲート端Ｇとソース端Ｓの間に付加される容量値を、保持容量１２０の容量値Ｃｓと容量素子３１０の容量値Ｃadd の合成分（Ｃｓ＋Ｃadd ）にする。
【０２５２】
第２比較例および本実施形態の画素回路Ｐでは、有機ＥＬ素子１２７の特性の経時的な変動（特性劣化を含む）に起因する輝度落ちを防ぐために駆動トランジスタ１２１のゲート端Ｇとソース端Ｓとの間に保持容量１２０を付加してブートストラップ動作をさせるようにしている。有機ＥＬ素子１２７の特性変動に起因するソース電位Ｖｓの上昇に対するゲート電位Ｖｇの上昇値を１００％に近づけることで輝度落ちの問題は解消される。
【０２５３】
ここで、本実施形態を適用しない比較例２の画素回路Ｐの場合は、ソース電位Ｖｓの上昇に対するゲート電位Ｖｇの上昇割合（ブートストラップゲインＧbst0）は前述の式（３）で表されるのに対して、本実施形態を適用することで、ブートストラップゲインＧbst1は式（６）のように変更される。
【０２５４】
【数６】
2008185874.tif 000008
【０２５５】
ブートストラップゲインＧbst1はブートストラップゲインＧbst0よりも大きくなるので、 第２比較例の画素回路Ｐよりも効果的に、有機ＥＬ素子１２７の特性の経時的な変動（特性劣化を含む）に起因する輝度落ちを低減することができる。
【０２５６】
このように、本実施形態の画素回路Ｐおよびそれを駆動する駆動方法によれば、ノードＮＤ１２２に容量素子３１０の一方の端子を接続し、他方の端子（ノードＮＤ１２３）に接続切替用のスイッチトランジスタ３１２，３１４を接続し、高ゲイン化が要求されるタイミング（サンプリング期間＆移動度補正期間Ｋもしくは発光期間Ｂ，Ｌ）に合わせて、スイッチトランジスタ３１２，３１４の何れか一方のみをオンさせることで、容量素子３１０の容量値Ｃadd の分だけ容量値を大きくするようにした。
【０２５７】
書込みゲインＧinput が問題となるサンプリング期間＆移動度補正期間Ｋでは第１スイッチトランジスタ３１２のみをオンさせて有機ＥＬ素子１２７の寄生容量Ｃelに対して容量素子３１０を並列接続し、有機ＥＬ素子１２７のアノード端Ａとカソード端Ｋの間に付加される容量値を容量素子３１０の容量値Ｃadd の分だけ大きくすることで書込みゲインＧinput1を第２比較例の書込みゲインＧinput0よりも大きくなるようにした。
【０２５８】
また、ブートストラップゲインＧbst が問題となる発光期間Ｂ，Ｌでは第２スイッチトランジスタ３１４のみをオンさせて保持容量１２０に対して容量素子３１０を並列接続し、駆動トランジスタ１２１のゲート・ソース間に付加される容量値を容量素子３１０の容量値Ｃadd の分だけ大きくすることでブートストラップゲインＧbst1を第２比較例のブートストラップゲインＧbst0よりも大きくなるようにした。
【０２５９】
書込みゲインＧinput が問題となるサンプリング期間＆移動度補正期間ＫとブートストラップゲインＧbst が問題となる発光期間Ｂ，Ｌとではタイミングが異なるので、第１スイッチトランジスタ３１２をオンさせて書込みゲインＧinput1としたときにはブートストラップ動作には悪影響を与えないし、逆に、第２スイッチトランジスタ３１４をオンさせてブートストラップゲインＧbst1としたときには信号書込み動作（サンプリング動作）には悪影響を与えない。
【０２６０】
各ゲインＧinput ，Ｇbst が問題となる期間Ｋもしくは期間Ｂ，Ｌに合わせて、容量素子３１０のノードＮＤ１２３の接続箇所をスイッチトランジスタ３１２，３１４で切り替える構成とすることで、片方のゲインを重視すれば、その分だけもう片方のゲインが疎かにならざるを得ないと言うトレードオフの問題を解消するようにしたのである。
【０２６１】
特に、本実施形態の構成では、それぞれ高ゲイン化が要求されるタイミングに合わせてスイッチトランジスタ３１２，３１４の何れか一方のみをオンさせることができるので、有効となるタイミングは異なるが、各ゲインＧinput ，Ｇbst の何れをも高ゲインにすることができる。容量値Ｃadd の設定は自由である。
【０２６２】
＜画素回路：本実施形態の変形例＞
図９および図１０は、書込みゲインとブートストラップゲインの関係において、他方に対して悪影響を与えることなく（小さくせずに）、一方を大きくすることを可能にする本実施形態の画素回路Ｐの変形例と、当該画素回路Ｐを備えた有機ＥＬ表示装置の一実施形態を示す図である。本実施形態の画素回路Ｐの変形例を画素アレイ部１０２に備える有機ＥＬ表示装置１を本実施形態の変形例の有機ＥＬ表示装置１と称する。
【０２６３】
前述の本実施形態の基本構成の画素回路Ｐでは、２つのスイッチトランジスタ３１２，３１４を設け、各ゲインＧinput ，Ｇbst が問題となる期間Ｋもしくは期間Ｂ，Ｌに合わせて、容量素子３１０のノードＮＤ１２３の接続箇所をスイッチトランジスタ３１２，３１４でゲイン変更走査部１１６からのゲイン変更パルスSEL1，SEL2で切り替えるようにしていたが、片方のゲインを重視すればその分だけもう片方のゲインが疎かにならざるを得ないと言うトレードオフの問題を解消するという点においては、２つのスイッチトランジスタ３１２，３１４を設けることは必須ではない。
【０２６４】
たとえば、図９に示す第１変形例は、書込みゲインＧinput の方を優先して、ブートストラップゲインＧbst に対しては悪影響を与えることなく（ブートストラップゲインＧbst を小さくせずに）、書込みゲインＧinput のみを大きくすることを可能にする構成である。
【０２６５】
図示のように、ブートストラップゲインＧbst の向上に寄与する第２スイッチトランジスタ３１４を取り外した構成となっている点が図６に示した基本構成との相違点である。この場合、容量素子３１０と第１スイッチトランジスタ３１２の直列回路が有機ＥＬ素子１２７に対して並列接続されればよく、容量素子３１０と第１スイッチトランジスタ３１２の配置態様は逆転させることができ、図示を割愛するが、第１スイッチトランジスタ３１２をノードＮＤ１２３側に接続し、容量素子３１０を有機ＥＬ素子１２７のカソード端Ｋ側に接続してもよい。
【０２６６】
第１変形例においては先ず、競合関係となる書込みゲインＧinput とブートストラップゲインＧbst の間で折り合いを付け、各ゲインが適度なものとなるように、保持容量１２０の容量値Ｃｓと有機ＥＬ素子１２７の寄生容量Ｃelの容量値Ｃelを決定しておく。
【０２６７】
その上で、図７に示した駆動タイミングと同様に、発光期間Ｂ，Ｌでは、ブートストラップゲインＧbst の低下の問題を招くことがないように第１スイッチトランジスタ３１２をオフさせておく一方、サンプリング期間＆移動度補正期間Ｋでは書込みゲインＧinput を大きくするべく第１スイッチトランジスタ３１２をオンさせ、有機ＥＬ素子１２７の寄生容量Ｃelに対して容量素子３１０を並列接続する（ｔ１５ａ〜ｔ１９ａ）。
【０２６８】
書込みゲインＧinput1は書込みゲインＧinput0よりも大きくなるので、 第２比較例の画素回路Ｐよりも信号電位Ｖinの大きさにより近い電圧情報を保持容量１２０に書き込むことができる。発光期間Ｂ，ＬでブートストラップゲインＧbst を大きくすると言うことはできないが、書込みゲインＧinput に関しては、ブートストラップゲインＧbst の低下の問題を招くことなく、高ゲイン化が可能となる。これにより、第１変形例でも、第２比較例の画素回路Ｐよりも低い信号振幅で所望の輝度を出すことができ、信号振幅の低減が実現され、低消費電力化に寄与する。
【０２６９】
これに対して、図１０に示す第２変形例は、ブートストラップゲインＧbst の方を優先して、書込みゲインＧinput に対しては悪影響を与えることなく（書込みゲインＧinput を小さくせずに）、ブートストラップゲインＧbst のみを大きくすることを可能にする構成である。
【０２７０】
図示のように、書込みゲインＧinput の向上に寄与する第１スイッチトランジスタ３１２を取り外した構成となっている点が図６に示した基本構成との相違点である。この場合、容量素子３１０と第２スイッチトランジスタ３１４の直列回路が保持容量１２０に並列接続されればよく、容量素子３１０と第２スイッチトランジスタ３１４の配置態様は逆転させることができ、図示を割愛するが、第２スイッチトランジスタ３１４をノードＮＤ１２３側に接続し、容量素子３１０をノードＮＤ１２１（つまり駆動トランジスタ１２１のゲート端Ｇ）側に接続してもよい。
【０２７１】
第２変形例においては先ず、競合関係となる書込みゲインＧinput とブートストラップゲインＧbst の間で折り合いを付け、各ゲインが適度なものとなるように、保持容量１２０の容量値Ｃｓと有機ＥＬ素子１２７の寄生容量Ｃelの容量値Ｃelを決定しておく。
【０２７２】
その上で、図７に示した駆動タイミングと同様に、サンプリング期間＆移動度補正期間Ｋでは書込みゲインＧinput の低下の問題を招くことがないように第２スイッチトランジスタ３１４をオフさせておく一方、発光期間Ｂ，ＬではブートストラップゲインＧbst を大きくするべく第２スイッチトランジスタ３１４をオンさせ、保持容量１２０に対して容量素子３１０を並列接続する（ｔ１０ｂ〜ｔ１９ｂを除く期間）。
【０２７３】
ブートストラップゲインＧbst1はブートストラップゲインＧbst0よりも大きくなる。サンプリング期間＆移動度補正期間Ｋで書込みゲインＧinput を大きくすると言うことはできないが、ブートストラップゲインＧbst に関しては、書込みゲインＧinput の低下の問題を招くことなく、高ゲイン化が可能となる。これにより、第２変形例でも、第２比較例の画素回路Ｐよりも効果的に、有機ＥＬ素子１２７の特性の経時的な変動（特性劣化を含む）に起因する輝度落ちを低減することができる。
【０２７４】
２ＴＲ駆動の第２比較例の構成をベースに、画素回路Ｐごとに、容量素子３１０を追加するとともに、その接続箇所や接続タイミングを切り替えるスイッチトランジスタ３１２，３１４の少なくとも一方を追加する考え方を適用することで、書込みゲインＧinput とブートストラップゲインＧbst の関係において、他方に対して悪影響を与えることなく（小さくせずに）、一方を大きくすることができる。
【０２７５】
２ＴＲ駆動の第２比較例とのトランジスタ数の比較においては、容量素子３１０の接続箇所や接続タイミングを切り替えるスイッチトランジスタ３１２，３１４の少なくとも一方が必要になるのでトランジスタ数が多くなるものの、特許文献１に記載の５ＴＲ駆動の構成に比べると、トランジスタ数が少なく、画素回路を簡易にすることができる。
【０２７６】
有機ＥＬ素子を代表例とする電流駆動型の発光素子を含む表示装置において、駆動トランジスタの閾値変動補正と移動度変動補正と発光素子の経時変動補正の全てを、５ＴＲ駆動の構成よりも少ない素子で行なうことができ、高精細化に適し、携帯機器（モバイル機器）などの小型の電子機器で用いられる表示装置への適用が容易になる。
【０２７７】
なお、画素回路Ｐごとに、容量素子３１０を追加するとともに、その接続箇所や接続タイミングを切り替えるスイッチトランジスタ３１２，３１４の少なくとも一方を追加する考え方は、２ＴＲ駆動の第２比較例の構成をベースにすることに限らず、原理的には、少なくともブートストラップ機能を有する構成のものに同様に適用でき、特許文献１に記載の５ＴＲ駆動の構成に対しても適用できる。もちろん、ここでは具体的な構成や動作については図示および説明を割愛するが、閾値補正や移動度補正のためにスイッチトランジスタを追加した３ＴＲ駆動構成や４ＴＲ駆動構成など、２ＴＲ駆動と５ＴＲ駆動の中間に位置する態様のものにも適用は可能である。
【０２７８】
ただし、５ＴＲ駆動の構成に対して適用した場合、さらにトランジスタ数が多くなり、高精細化が求められ画素サイズの狭小化が要求されるような場合には、その適用は現実的ではない。そう言った観点では、２ＴＲ駆動の第２比較例や３ＴＲ駆動の構成をベースに適用した方が現実的である。この場合、書込みゲインＧinput 向上用の第１スイッチトランジスタ３１２とブートストラップゲインＧbst 向上用の第２スイッチトランジスタ３１４の双方の適用が好ましい。４ＴＲ駆動の構成をベースに適用する場合、書込みゲインＧinput 向上用の第１スイッチトランジスタ３１２もしくはブートストラップゲインＧbst 向上用の第２スイッチトランジスタ３１４の何れか一方のみの適用が現実的である。
【０２７９】
以上、本発明について実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０２８０】
また、上記の実施形態は、クレーム（請求項）に係る発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０２８１】
＜画素回路の変形例＞
たとえば、回路理論上は「双対の理」が成立するので、画素回路Ｐに対しては、この観点からの変形を加えることができる。この場合、図示を割愛するが、先ず、図２に示した画素回路Ｐがｎチャネル型のトランジスタを用いて構成しているのに対し、ｐチャネル型のトランジスタを用いて画素回路Ｐを構成する。これに合わせて映像信号Ｖsig の基準電位Ｖｏに対する信号電位Ｖinの極性や電源電圧の大小関係を逆転させるなど、双対の理に従った変更を加える。
【０２８２】
たとえば「双対の理」に従った変形態様の画素回路Ｐでは、ｐチャネル型の駆動トランジスタ（以下ｐ型駆動トランジスタ１２１ｐと称する）のゲート端Ｇとソース端Ｓとの間に保持容量１２０を接続し、ｐ型駆動トランジスタ１２１ｐのソース端Ｓを直接に有機ＥＬ素子１２７のカソード端Ｋに接続する。有機ＥＬ素子１２７のアノード端Ａは基準電位としてのアノード電位Ｖanode にする。このアノード電位Ｖanode は、基準電位を供給する全画素共通の基準電源（高電位側）に接続する。
【０２８３】
ｐ型駆動トランジスタ１２１ｐは、そのドレイン端Ｄが低電圧側の電源電位Ｖcc_Lに接続され、有機ＥＬ素子１２７を発光させる駆動電流Ｉdsを流す。映像信号線１０６HSと書込走査線１０４WSとの交差部にはｐチャネル型のサンプリングトランジスタ（以下ｐ型サンプリングトランジスタ１２５ｐと称する）を配する。ｐ型サンプリングトランジスタ１２５ｐは、ゲート端Ｇを書込走査部１０４からの書込走査線１０４WSに接続し、ドレイン端Ｄ（もしくはソース端Ｓ）を映像信号線１０６HSに接続し、ソース端Ｓ（もしくはドレイン端Ｄ）をｐ型駆動トランジスタ１２１ｐのゲート端Ｇと保持容量１２０の一方の端子との接続点に接続する。ｐ型サンプリングトランジスタ１２５ｐのゲート端Ｇには書込走査部１０４からアクティブＬの書込駆動パルスWSを供給する。
【０２８４】
このような双対の理を適用してトランジスタをｐ型にした変形例の有機ＥＬ表示装置においても、前述のｎ型にした有機ＥＬ表示装置と同様に、閾値補正動作、移動度補正動作、およびブートストラップ動作を実行することができる。
【０２８５】
加えて、画素回路Ｐごとに、容量素子３１０を追加するとともに、その接続箇所や接続タイミングを切り替えるスイッチトランジスタ３１２，３１４の少なくとも一方を追加する考え方を適用することで、書込みゲインＧinput とブートストラップゲインＧbst の関係において、他方に対して悪影響を与えることなく（小さくせずに）、一方を大きくすることができる。
【０２８６】
なお、ここで説明した変形例は、図２に示した構成に対して「双対の理」に従った変更を加えたものであるが、回路変更の手法はこれに限定されるものではない。
【０２８７】
＜駆動タイミングの変形例＞
また、駆動タイミングの側面からも様々な変形が可能である。たとえば、変形例として、図示を割愛するが、図４に示した駆動タイミングに対して、サンプリング期間＆移動度補正期間Ｈの設定方法を変形することができる。具体的には、先ず映像信号Ｖsig が基準電位Ｖｏから信号電位Ｖinに遷移するタイミングｔ１５Ｖを図４に示した駆動タイミングよりも１水平期間の後半側にシフトさせて、有効期間である信号電位Ｖinの期間を狭くする。
【０２８８】
また、閾値補正動作の完了時（閾値補正期間Ｅの完了時）には、先ず、書込駆動パルスWSをアクティブＨにしたままで、水平駆動部１０６により映像信号線１０６HSに映像信号Ｖsig の信号電位Ｖinを供給して（ｔ１６）、書込駆動パルスWSをインアクティブＬにするまで（ｔ１７）の間を、保持容量１２０への画素信号Ｖsig の書き込み期間とする。この信号電位Ｖinは駆動トランジスタ１２１の閾値電圧Ｖthに足し込む形で保持される。この結果、駆動トランジスタ１２１の閾値電圧Ｖthの変動は常にキャンセルされる形となるので、閾値補正を行なっていることになる。この閾値補正動作によって、保持容量１２０に保持されるゲート・ソース間電圧Ｖgsは“Ｖsig ＋Ｖth”となる。また、同時に、信号書込期間ｔ１６〜ｔ１７で移動度補正を実行する。すなわち、タイミングｔ１６〜ｔ１７は、信号書込期間と移動度補正期間の双方を兼ねることとなる。
【０２８９】
なお、この移動度補正を実行する期間ｔ１６〜ｔ１７では、有機ＥＬ素子１２７は実際には逆バイアス状態にあるので発光することはない。この移動度補正期間ｔ１６〜ｔ１７では、駆動トランジスタ１２１のゲート端Ｇが映像信号Ｖsig のレベルに固定された状態で、駆動トランジスタ１２１に駆動電流Ｉdsが流れる。以下、図４に示した駆動タイミングと同様である。
【０２９０】
変形例の駆動タイミングでも、基準電位Ｖｏに先立つ初期化電位Ｖini の期間で初期化トランジスタ１２６をオンさせることで駆動トランジスタ１２１を初期化する動作は図４に示した駆動タイミングと完全に同じであり、サンプリング期間＆移動度補正期間Ｈに関する変形に関する点を除いて、前述の本実施形態の効果は同様に享受できる。
【０２９１】
ここで、変形例の駆動タイミングでは、各駆動部（１０４，１０５，１０６）は、水平駆動部１０６が映像信号線１０６HSに供給する映像信号Ｖsig と書込走査部１０４が供給する書込駆動パルスWSとの相対的な位相差を調整して、移動度補正期間を最適化することができる。
【０２９２】
ただし、書込み＆移動度補正準備期間Ｇが存在せずに、タイミングｔ１６Ｖ〜ｔ１７Ｗがサンプリング期間＆移動度補正期間Ｈとなる。このため、書込走査線１０４WSや映像信号線１０６HSの配線抵抗や配線容量の距離依存の影響に起因する波形特性の相違がサンプリング期間＆移動度補正期間Ｈに影響を与えてしまう可能性がある。画面の書込走査部１０４に近い側と遠い側（すなわち画面の左右）でサンプリング電位や移動度補正期間が異なることになるので、画面の左右で輝度差が生じ、シェーディングとして視認される難点が懸念される。
【図面の簡単な説明】
【０２９３】
【図１】本発明に係る表示装置の一実施形態であるアクティブマトリクス型表示装置の構成の概略を示すブロック図である。
【図２】本実施形態の画素回路および有機ＥＬ表示装置に対する第２比較例を示す図である。
【図３】有機ＥＬ素子や駆動トランジスタの特性ばらつきが駆動電流に与える影響を説明する図（その１）である。
【図４】図２に示した第２比較例の画素回路に関する駆動タイミングの基本例を説明するタイミングチャートである。
【図５】保持容量への信号電位に対応する情報の書込み動作時の書込みゲインと、信号書込み後のブートストラップ動作時のブートストラップゲインと、駆動トランジスタのゲート端に生じる寄生容量との関係を説明する図である。
【図６】本実施形態の画素回路および有機ＥＬ表示装置の基本構成を示す図である。
【図７】図６に示した本実施形態のの基本構成の画素回路に関する駆動タイミングの一例を説明するタイミングチャートである。
【図８】容量素子の追加とその接続箇所をスイッチトランジスタで切り替えることによる書込みゲインおよびブートストラップゲインを駆動タイミングに合わせて変更することによる効果を説明する図である。
【図９】本実施形態の画素回路および有機ＥＬ表示装置の第１変形例を示す図である。
【図１０】本実施形態の画素回路および有機ＥＬ表示装置の第２変形例を示す図である。
【符号の説明】
【０２９４】
１…有機ＥＬ表示装置、１０１…基板、１０２…画素アレイ部、１０３…垂直駆動部、１０４…書込走査部、１０４WS…書込走査線、１０５…駆動走査部、１０５DSL …電源供給線、１０６…水平駆動部、１０６HS…映像信号線、１０９…制御部、１１６…ゲイン変更走査部、１１６SEL1，１１６SEL2…ゲイン変更走査線、１２０…保持容量、１２１…駆動トランジスタ、１２５…サンプリングトランジスタ、１２７…有機ＥＬ素子、３１０…容量素子、３１２…第１スイッチトランジスタ、３１４…第２スイッチトランジスタ、Ｃel…有機ＥＬ素子の寄生容量、Ｐ…画素回路、Ｖsig …映像信号、Ｖｏ…基準電位、Ｖin…信号電位、Ｖcc_H…第１電位、Ｖcc_L…第２電位、WS…書込駆動パルス、DSL …電源駆動パルス、SEL1…第１ゲイン変更パルス、SEL2…第２ゲイン変更パルス
【図１】
2008185874.tif 000009
【図２】
2008185874.tif 000010
【図３】
2008185874.tif 000011
【図４】
2008185874.tif 000012
【図５】
2008185874.tif 000013
【図６】
2008185874.tif 000014
【図７】
2008185874.tif 000015
【図８】
2008185874.tif 000016
【図９】
2008185874.tif 000017
【図１０】
2008185874.tif 000018